(57)【要約】【課題】プラントデータの監視・診断を安価に頻度及び精度を向上させて、適切な修理が行えるプラントデータ配信システム及びプラントデータ配信方法を提供する。【解決手段】プラントデータ配信システム１０は、データ配信サーバ１７とデータ収集・処理装置２１及び監視診監視・診断装置２３とを通信ネットワーク１４、１４ａ、１４ｂで接続して構成され、データ収集・処理装置２１からのプラント状態量データをデータ配信サーバ１７に蓄積し、蓄積したプラント状態量データを適宜監視・診断装置２３に送信してプラント機器１９の監視・診断を行い、監視・診断結果をデータ配信サーバ１７に保存した後、データ収集・処理装置２１へ配信する。【選択図】　図１
2004030020.tif 000002
【特許請求の範囲】
【請求項１】
プラント機器のプラント状態量データ等のプラントデータを収集して処理するデータ収集・処理手段で処理した前記プラントデータを受信して保存し、保存した前記プラントデータをプラント機器の監視・診断を行う監視・診断手段に配信するデータ配信手段を備え、
このデータ配信手段は、前記データ収集・処理手段および監視・診断手段と通信ネットワークで接続されており、この通信ネットワークを介して前記データ収集・処理手段から前記プラントデータを受信して保存し、保存した前記プラントデータを監視・診断手段に配信して、この監視・診断手段で前記プラントデータに基づいて、監視・診断した監視・診断結果を前記通信ネットワークを介して受信して保存し、保存した前記監視・診断結果を前記データ収集・処理手段に配信することを可能に構成したことを特徴とするプラントデータ配信システム。
【請求項２】
前記プラントデータ配信手段は、前記通信ネットワークを介して前記データ収集・処理手段から前記プラントデータを受信して保存し、予め設定した時刻に、保存した前記プラントデータを監視・診断手段へ配信可能に構成したことを特徴とする請求項１に記載のプラントデータ配信システム。
【請求項３】
前記データ配信手段は、配信要求先の事業者確認用として予め登録される事業者認証を備え、
配信要求先からの配信要求信号および前記事業者認証を前記通信ネットワークを介して受信した際には、前記通信ネットワークを介して受信した事業者認証と前記データ配信手段に予め登録される業者認証とを照合して合致する場合に保存した前記プラントデータを監視・診断手段へ配信可能に構成したことを特徴とする請求項１に記載のプラントデータ配信システム。
【請求項４】
前記データ配信手段は、配信要求先の事業者確認用として予め登録される事業者認証を備え、前記プラントデータのうち、プラントデータの種類毎にプラントデータ配信の許可を予め設定可能に構成して、
配信要求先からの配信要求信号および前記事業者認証を前記通信ネットワークを介して受信した際には、前記通信ネットワークを介して受信した事業者認証と前記データ配信手段に予め登録される業者認証とを照合して合致する場合に保存した前記プラントデータのうち、配信が許可されたプラントデータを監視・診断手段へ配信可能に構成したことを特徴とする請求項１に記載のプラントデータ配信システム。
【請求項５】
前記データ配信手段は、前記プラントデータの送信元の事業者確認用として予め登録される送信元認証と、配信要求先の事業者確認用として予め登録される事業者認証とを備え、
配信要求先からの前記プラントデータ配信要求があり、前記送信元が、前記配信要求先への前記プラントデータの配信を許諾をする際に、前記データ配信手段は、前記配信要求先から要求された前記プラントデータの配信要求に対して、前記プラントデータの送信元が許諾した配信要求先の新たな事業者認証を前記プラントデータの送信元から通信ネットワークを介して受信するデータ配信許諾の受信と、
前記プラントデータの送信元が許諾した配信要求先の予め登録されている事業者認証を前記データ配信手段で受信した新たな事業者認証へ更新する事業者認証更新と、
前記データ配信手段で受信した新たな事業者認証を前記配信要求先に通知する事業者認証通知とを可能に構成し、
前記配信要求先からの前記プラントデータ配信要求を前記通信ネットワークを介して前記データ配信手段で受信したら、前記データ配信手段は、前記配信要求先から受信した事業者認証と更新された事業者認証とを照合して前記受信された事業者認証および更新された事業者認証が合致する場合に保存した前記プラントデータを監視・診断手段へ配信可能に構成したことを特徴とする請求項１に記載のプラントデータ配信システム。
【請求項６】
前記データ配信手段は、前記データ配信許諾の受信の際に、プラントデータの送信元から配信要求先の事業者認証の変更要求を受信する事業者認証変更要求受信と、
前記送信元から送信元認証を受信する送信元認証受信と、
前記データ配信手段で受信した送信元認証と予め登録された送信元認証とを照合する送信元認証照合とを可能に構成して、
前記データ配信手段で、受信した送信元認証と予め登録される送信元認証とが合致する場合に前記配信要求先の予め登録される事業者認証の更新を許可することを可能に構成したことを特徴とする請求項５に記載のプラントデータ配信システム。
【請求項７】
前記データ配信手段は、前記送信元から送信元認証を受信して、受信した送信元認証と予め登録された送信元認証とを照合した結果、合致する場合に、前記通信ネットワークを介して前記送信元に前記プラントデータの配信指示要求を通知して、前記配信指示を受信すると、前記指定された配信要求先に前記データ配信手段で保存されたプラントデータを送信可能に構成したことを特徴とする請求項１に記載のプラントデータ配信システム。
【請求項８】
前記データ配信手段は、前記データ配信手段で保存して蓄積されたプラントデータを読み出して、予め設定された前記プラント機器の異常有無判定を可能に構成し、前記異常有無判定を実行した結果、前記プラント機器に異常が有ると診断した場合、詳細な異常有無判定の受診を促す通知を行い、詳細診断依頼があった場合には、前記データ配信手段で保存した前記プラントデータを監視・診断手段へ配信可能に構成したことを特徴とする請求項１記載のプラントデータ配信システム。
【請求項９】
プラント機器のプラント状態量データ等のプラントデータを収集して処理するデータ収集・処理手段で処理した前記プラントデータを受信して保存し、保存した前記プラントデータをプラント機器の監視・診断を行う監視・診断手段に配信するデータ配信ステップを備え、
このデータ配信ステップは、前記データ収集・処理手段および監視・診断手段と通信ネットワークで接続されるデータ配信手段が、前記通信ネットワークを介して送信された前記プラントデータを受信するプラントデータ受信ステップと、
受信したプラントデータを保存して蓄積するプラントデータ蓄積ステップと、
保存した前記プラントデータを前記通信ネットワークを介して特定の配信要求先に配信するプラントデータ配信ステップと、
前記プラントデータに基づいて、監視・診断した監視・診断結果を前記通信ネットワークを介して受信して保存し、蓄積する監視・診断結果蓄積ステップと、
保存した前記監視・診断結果を前記プラントデータの送信元へ配信する監視・診断結果配信ステップとを備えることを特徴とするプラントデータ配信方法。
【請求項１０】
前記プラントデータ配信ステップは、予め設定した時刻に実行されることを特徴とする請求項９に記載のプラントデータ配信方法。
【請求項１１】
配信要求先からの配信要求信号を前記通信ネットワークを介して前記データ配信手段で受信する配信要求受信ステップと、
配信要求先からの事業者認証を前記通信ネットワークを介して前記データ配信手段で受信する事業者認証受信ステップと、
前記通信ネットワークを介して受信した事業者認証と予め登録された事業者認証とを前記データ配信手段で照合する事業者認証照合ステップとを備え、
前記事業者認証照合ステップで前記受信された事業者認証および予め登録された事業者認証が合致する場合に前記プラントデータ配信ステップを実行することを特徴とする請求項９に記載のプラントデータ配信方法。
【請求項１２】
前記データ配信手段が、配信を要求するデータの種別を識別するデータ識別信号を配信要求先から前記通信ネットワークを介して受信するデータ識別信号受信ステップと、
配信要求先からの配信要求信号を前記通信ネットワークを介して受信する配信要求受信ステップと、
配信要求先からの事業者認証を前記通信ネットワークを介して受信する事業者認証受信ステップと、
前記通信ネットワークを介して受信した事業者認証と予め登録された事業者認証とを前記データ配信手段で照合する事業者認証照合ステップとを備え、
前記事業者認証照合ステップで前記受信された事業者認証および予め登録された事業者認証が合致する場合には、前記プラントデータ配信ステップを実行することを特徴とする請求項９に記載のプラントデータ配信方法。
【請求項１３】
前記プラントデータの送信元が配信要求先への前記プラントデータの配信を許諾をする際に、
前記データ配信手段が、前記配信要求先から要求された前記プラントデータの配信要求に対して、前記プラントデータの送信元が許諾した配信要求先の新たな事業者認証を前記プラントデータの送信元から通信ネットワークを介して受信するデータ配信許諾受信ステップと、
前記プラントデータの送信元が許諾した配信要求先の予め登録されている事業者認証を前記データ配信手段で受信した新たな事業者認証に更新する事業者認証更新ステップと、
前記データ配信手段で受信した新たな事業者認証を前記配信要求先に通知する事業者認証通知ステップと、
前記プラントデータの送信元が許諾した配信要求先からの配信要求信号を前記通信ネットワークを介して受信する配信要求受信ステップと、
前記配信要求先からの事業者認証を前記通信ネットワークを介して受信する事業者認証受信ステップと、
前記通信ネットワークを介して受信した事業者認証と更新された事業者認証とを照合する事業者認証照合ステップとを備え、
前記事業者認証照合ステップで前記受信された事業者認証および更新された事業者認証が合致する場合に前記プラントデータ配信ステップを実行することを特徴とする請求項９に記載のプラントデータ配信方法。
【請求項１４】
前記データ配信許諾受信ステップは、前記データ配信手段が、前記プラントデータの送信元から前記配信要求先の事業者認証の変更要求を前記データ配信手段で受信する事業者認証変更要求受信ステップと、
前記送信元から送信元認証を受信する送信元認証受信ステップと、
受信した送信元認証と予め登録された送信元認証とを照合する送信元認証照合ステップとを備え、
この送信元認証照合ステップで受信した送信元認証と予め登録された送信元認証とが合致する場合に予め登録された配信要求先の事業者認証を変更を許可する事業者認証更新許可ステップとを備えることを特徴とする請求項１３に記載のプラントデータ配信方法。
【請求項１５】
前記データ配信手段が、プラントデータの送信元から配信指示として配信要求信号および配信要求先アドレスを受信する配信指示受信ステップと、
前記送信元から送信元認証を前記データ配信手段で受信する送信元認証受信ステップと、
前記データ配信手段で受信した送信元認証と予め登録された送信元認証とを照合する送信元認証照合ステップとを備え、
前記送信元認証照合ステップにおいて受信した送信元認証と予め登録された送信元認証とが合致する場合に、前記プラントデータ配信ステップを実行し、前記特定の配信要求先は、前記プラントデータ送信ステップで前記通信ネットワークを介して前記指定された配信要求先であることを特徴とする請求項９に記載のプラントデータ配信方法。
【請求項１６】
前記データ配信手段が保存して蓄積されたプラントデータを読み出して、予め設定されたプラント機器の異常有無判定をする異常判定ステップと、
前記異常判定ステップで異常有無判定した結果を通知する異常有無判定結果通知ステップとを備え、
前記異常有無判定結果通知ステップは、前記異常判定ステップで異常有無判定した結果、前記プラント機器に異常が有ると診断した場合、詳細な異常有無判定の受診を促す通知を行い、詳細診断依頼があった場合には、前記プラントデータ配信ステップを実行することを特徴とする請求項９に記載のプラントデータ配信方法。
【発明の詳細な説明】
【０００１】
【発明の属する技術分野】
本発明は、プラントのリモート監視、診断を行うためのプラントデータを、プラントから監視・診断事業者に、ネットワークを介して配信するための、プラントデータ配信システムおよびプラントデータ配信方法に関する。
【０００２】
【従来の技術】
プラント内の機器の故障を防ぐためには、定期的に機器の関連データを採取し、監視、診断などにより健全性をチエックし、必要に応じて修理を行う必要がある。
【０００３】
図１５に従来のプラントの監視・診断手法の概要を示した概要図を示す。
【０００４】
図１５に示される従来のプラントの監視・診断手法では、監視・診断事業者１がプラント事業者２が運用するプラントに定期的に出向いて、プラントデータを採取し、採取したプラントデータを持ち帰って必要な分析を行い、監視・診断結果をプラント事業者２に通知している。
【０００５】
監視・診断事業者１としてプラント監視・診断技術者３は、プラント事業者２が運用するプラント機器４のある場所まで出向いて、プラントデータを定期的に採取する。プラントデータの採取は、プラント機器４に設置されるセンサ５を介してプラントデータの収集・処理を実行しているプラントデータ収集・処理装置６からデータを採取することで行う。そして、プラント監視・診断技術者３は、採取したプラントデータを持ち帰って必要な分析を行い、プラント機器４の異常有無、修繕要否の判定を行い、監視・診断結果を通知する。
【０００６】
【発明が解決しようとする課題】
従来のプラントの監視・診断方法によれば、例えば、年１回等のように、間欠的にしか監視や診断ができない。従って、監視・診断を行ってから次回の監視・診断までに劣化が進んでトラブルが発生するような場合には対応できない。しかし、監視・診断を行ってから次回の監視・診断までの劣化を見越して過度の修理を行うことも不経済である。
【０００７】
一方、監視・診断の頻度を上げると、プラントの信頼性は確保できるが、必要以上に監視・診断を行うことになるので、経済的であるとは言い難い。また、監視・診断を監視・診断事業者１に一任してしまうと、過剰な監視・診断が行われる懸念もあり、プラント事業者２側で監視・診断を管理できるシステムおよび方法が望まれていた。
【０００８】
本発明は、上述した事情を考慮してなされたもので、最近普及しつつある通信ネットワークを用いて、プラントのデータの監視や、診断を行う監視・診断事業者に伝送し、安価に監視・診断の精度を向上させるとともに、プラント事業者側で監視・診断の管理を可能にすることで、プラントの信頼性を確保しつつプラント維持費用を最小限に抑えることが可能なプラントデータ配信システムおよびプラントデータ配信方法を提供することを目的とする。
【０００９】
【課題を解決するための手段】
本発明に係るプラントデータ配信システムは、上述した課題を解決するために、請求項１に記載したように、プラント機器のプラント状態量データ等のプラントデータを収集して処理するデータ収集・処理手段で処理した前記プラントデータを受信して保存し、保存した前記プラントデータをプラント機器の監視・診断を行う監視・診断手段に配信するデータ配信手段を備え、このデータ配信手段は、前記データ収集・処理手段および監視・診断手段と通信ネットワークで接続されており、この通信ネットワークを介して前記データ収集・処理手段から前記プラントデータを受信して保存し、保存した前記プラントデータを監視・診断手段に配信して、この監視・診断手段で前記プラントデータに基づいて、監視・診断した監視・診断結果を前記通信ネットワークを介して受信して保存し、保存した前記監視・診断結果を前記データ収集・処理手段に配信することを可能に構成したことを特徴とする。
【００１０】
上述した課題を解決するために、本発明に係るプラントデータ配信システムは、請求項２に記載したように、前記プラントデータ配信手段が、前記通信ネットワークを介して前記データ収集・処理手段から前記プラントデータを受信して保存し、予め設定した時刻に、保存した前記プラントデータを監視・診断手段へ配信可能に構成したことを特徴とする。
【００１１】
また、上述した課題を解決するために、本発明に係るプラントデータ配信システムは、請求項３に記載したように、前記データ配信手段が、配信要求先の事業者確認用として予め登録される事業者認証を備え、配信要求先からの配信要求信号および前記事業者認証を前記通信ネットワークを介して受信した際には、前記通信ネットワークを介して受信した事業者認証と前記データ配信手段に予め登録される業者認証とを照合して合致する場合に保存した前記プラントデータを監視・診断手段へ配信可能に構成したことを特徴とする。
【００１２】
さらに、上述した課題を解決するために、本発明に係るプラントデータ配信システムは、請求項４に記載したように、前記データ配信手段は、配信要求先の事業者確認用として予め登録される事業者認証を備え、前記プラントデータのうち、プラントデータの種類毎にプラントデータ配信の許可を予め設定可能に構成して、配信要求先からの配信要求信号および前記事業者認証を前記通信ネットワークを介して受信した際には、前記通信ネットワークを介して受信した事業者認証と前記データ配信手段に予め登録される業者認証とを照合して合致する場合に保存した前記プラントデータのうち、配信が許可されたプラントデータを監視・診断手段へ配信可能に構成したことを特徴とする。
【００１３】
さらにまた、上述した課題を解決するために、本発明に係るプラントデータ配信システムは、請求項５に記載したように、前記データ配信手段は、前記プラントデータの送信元の事業者確認用として予め登録される送信元認証と、配信要求先の事業者確認用として予め登録される事業者認証とを備え、配信要求先からの前記プラントデータ配信要求があり、前記送信元が、前記配信要求先への前記プラントデータの配信を許諾をする際に、前記データ配信手段は、前記配信要求先から要求された前記プラントデータの配信要求に対して、前記プラントデータの送信元が許諾した配信要求先の新たな事業者認証を前記プラントデータの送信元から通信ネットワークを介して受信するデータ配信許諾の受信と、前記プラントデータの送信元が許諾した配信要求先の予め登録されている事業者認証を前記データ配信手段で受信した新たな事業者認証へ更新する事業者認証更新と、前記データ配信手段で受信した新たな事業者認証を前記配信要求先に通知する事業者認証通知とを可能に構成し、前記配信要求先からの前記プラントデータ配信要求を前記通信ネットワークを介して前記データ配信手段で受信したら、前記データ配信手段は、前記配信要求先から受信した事業者認証と更新された事業者認証とを照合して前記受信された事業者認証および更新された事業者認証が合致する場合に保存した前記プラントデータを監視・診断手段へ配信可能に構成したことを特徴とする。
【００１４】
一方、上述した課題を解決するために、本発明に係るプラントデータ配信システムは、請求項６に記載したように、前記データ配信手段が、前記データ配信許諾の受信の際に、プラントデータの送信元から配信要求先の事業者認証の変更要求を受信する事業者認証変更要求受信と、前記送信元から送信元認証を受信する送信元認証受信と、前記データ配信手段で受信した送信元認証と予め登録された送信元認証とを照合する送信元認証照合とを可能に構成して、前記データ配信手段で、受信した送信元認証と予め登録される送信元認証とが合致する場合に前記配信要求先の予め登録される事業者認証の更新を許可することを可能に構成したことを特徴とする。
【００１５】
また、上述した課題を解決するために、本発明に係るプラントデータ配信システムは、請求項７に記載したように、前記データ配信手段が、前記送信元から送信元認証を受信して、受信した送信元認証と予め登録された送信元認証とを照合した結果、合致する場合に、前記通信ネットワークを介して前記送信元に前記プラントデータの配信指示要求を通知して、前記配信指示を受信すると、前記指定された配信要求先に前記データ配信手段で保存されたプラントデータを送信可能に構成したことを特徴とする。
【００１６】
さらに、上述した課題を解決するために、本発明に係るプラントデータ配信システムは、請求項８に記載したように、前記データ配信手段が、前記データ配信手段で保存して蓄積されたプラントデータを読み出して、予め設定された前記プラント機器の異常有無判定を可能に構成し、前記異常有無判定を実行した結果、前記プラント機器に異常が有ると診断した場合、詳細な異常有無判定の受診を促す通知を行い、詳細診断依頼があった場合には、前記データ配信手段で保存した前記プラントデータを監視・診断手段へ配信可能に構成したことを特徴とする。
【００１７】
本発明に係るプラントデータ配信方法は、上述した課題を解決するために、請求項９に記載したように、プラント機器のプラント状態量データ等のプラントデータを収集して処理するデータ収集・処理手段で処理した前記プラントデータを受信して保存し、保存した前記プラントデータをプラント機器の監視・診断を行う監視・診断手段に配信するデータ配信ステップを備え、このデータ配信ステップは、前記データ収集・処理手段および監視・診断手段と通信ネットワークで接続されるデータ配信手段が、前記通信ネットワークを介して送信された前記プラントデータを受信するプラントデータ受信ステップと、受信したプラントデータを保存して蓄積するプラントデータ蓄積ステップと、保存した前記プラントデータを前記通信ネットワークを介して特定の配信要求先に配信するプラントデータ配信ステップと、前記プラントデータに基づいて、監視・診断した監視・診断結果を前記通信ネットワークを介して受信して保存し、蓄積する監視・診断結果蓄積ステップと、保存した前記監視・診断結果を前記プラントデータの送信元へ配信する監視・診断結果配信ステップとを備えることを特徴とする。
【００１８】
また、上述した課題を解決するために、本発明に係るプラントデータ配信方法は、請求項１０に記載したように、前記プラントデータ配信ステップが、予め設定した時刻に実行されることを特徴とする。
【００１９】
さらに、上述した課題を解決するために、本発明に係るプラントデータ配信方法は、請求項１１に記載したように、配信要求先からの配信要求信号を前記通信ネットワークを介して前記データ配信手段で受信する配信要求受信ステップと、配信要求先からの事業者認証を前記通信ネットワークを介して前記データ配信手段で受信する事業者認証受信ステップと、前記通信ネットワークを介して受信した事業者認証と予め登録された事業者認証とを前記データ配信手段で照合する事業者認証照合ステップとを備え、前記事業者認証照合ステップで前記受信された事業者認証および予め登録された事業者認証が合致する場合に前記プラントデータ配信ステップを実行することを特徴とする。
【００２０】
さらにまた、上述した課題を解決するために、本発明に係るプラントデータ配信方法は、請求項１２に記載したように、前記データ配信手段が、配信を要求するデータの種別を識別するデータ識別信号を配信要求先から前記通信ネットワークを介して受信するデータ識別信号受信ステップと、配信要求先からの配信要求信号を前記通信ネットワークを介して受信する配信要求受信ステップと、配信要求先からの事業者認証を前記通信ネットワークを介して受信する事業者認証受信ステップと、前記通信ネットワークを介して受信した事業者認証と予め登録された事業者認証とを前記データ配信手段で照合する事業者認証照合ステップとを備え、前記事業者認証照合ステップで前記受信された事業者認証および予め登録された事業者認証が合致する場合には、前記プラントデータ配信ステップを実行することを特徴とする。
【００２１】
他方、上述した課題を解決するために、本発明に係るプラントデータ配信方法は、請求項１３に記載したように、前記プラントデータの送信元が配信要求先への前記プラントデータの配信を許諾をする際に、前記データ配信手段が、前記配信要求先から要求された前記プラントデータの配信要求に対して、前記プラントデータの送信元が許諾した配信要求先の新たな事業者認証を前記プラントデータの送信元から通信ネットワークを介して受信するデータ配信許諾受信ステップと、前記プラントデータの送信元が許諾した配信要求先の予め登録されている事業者認証を前記データ配信手段で受信した新たな事業者認証に更新する事業者認証更新ステップと、前記データ配信手段で受信した新たな事業者認証を前記配信要求先に通知する事業者認証通知ステップと、前記プラントデータの送信元が許諾した配信要求先からの配信要求信号を前記通信ネットワークを介して受信する配信要求受信ステップと、前記配信要求先からの事業者認証を前記通信ネットワークを介して受信する事業者認証受信ステップと、前記通信ネットワークを介して受信した事業者認証と更新された事業者認証とを照合する事業者認証照合ステップとを備え、前記事業者認証照合ステップで前記受信された事業者認証および更新された事業者認証が合致する場合に前記プラントデータ配信ステップを実行することを特徴とする。
【００２２】
また、上述した課題を解決するために、本発明に係るプラントデータ配信方法は、請求項１４に記載したように、前記データ配信許諾受信ステップは、前記データ配信手段が、前記プラントデータの送信元から前記配信要求先の事業者認証の変更要求を前記データ配信手段で受信する事業者認証変更要求受信ステップと、前記送信元から送信元認証を受信する送信元認証受信ステップと、受信した送信元認証と予め登録された送信元認証とを照合する送信元認証照合ステップとを備え、この送信元認証照合ステップで受信した送信元認証と予め登録された送信元認証とが合致する場合に予め登録された配信要求先の事業者認証を変更を許可する事業者認証更新許可ステップとを備えることを特徴とする。
【００２３】
さらに、上述した課題を解決するために、本発明に係るプラントデータ配信方法は、請求項１５に記載したように、前記データ配信手段が、プラントデータの送信元から配信指示として配信要求信号および配信要求先アドレスを受信する配信指示受信ステップと、前記送信元から送信元認証を前記データ配信手段で受信する送信元認証受信ステップと、前記データ配信手段で受信した送信元認証と予め登録された送信元認証とを照合する送信元認証照合ステップとを備え、前記送信元認証照合ステップにおいて受信した送信元認証と予め登録された送信元認証とが合致する場合に、前記プラントデータ配信ステップを実行し、前記特定の配信要求先は、前記プラントデータ送信ステップで前記通信ネットワークを介して前記指定された配信要求先であることを特徴とする。
【００２４】
一方、上述した課題を解決するために、本発明に係るプラントデータ配信方法は、請求項１６に記載したように、前記データ配信手段が保存して蓄積されたプラントデータを読み出して、予め設定されたプラント機器の異常有無判定をする異常判定ステップと、前記異常判定ステップで異常有無判定した結果を通知する異常有無判定結果通知ステップとを備え、前記異常有無判定結果通知ステップは、前記異常判定ステップで異常有無判定した結果、前記プラント機器に異常が有ると診断した場合、詳細な異常有無判定の受診を促す通知を行い、詳細診断依頼があった場合には、前記プラントデータ配信ステップを実行することを特徴とする。
【００２５】
【発明の実施の形態】
本発明に係るプラントデータ配信システムおよびプラントデータ配信方法の実施の形態について、図面を参照して説明する。
【００２６】
［第１の実施形態］
図１に本発明に係るプラントデータ配信システムおよびプラントデータ配信方法の第１の実施形態であるシステム構成概要図を示す。
【００２７】
図１によれば、本発明に係るプラントデータ配信システムおよびプラントデータ配信方法を適用したプラントデータ配信システム１０は、データ配信事業者１１と、プラント事業者１２と、監視・診断事業者１３とを通信ネットワーク１４ａ，１４ｂを介在させて構成される。
【００２８】
データ配信事業者１１は、データの配信を制御するデータ配信手段としてのデータ配信サーバ１７を備える。データ配信サーバ１７は、通信ネットワーク１４，１４ａ，１４ｂを介してプラント事業者１２および監視・診断事業者１３と接続され、プラント事業者１２および監視・診断事業者１３とのデータのやり取りを可能にしている。
【００２９】
プラント事業者１２は、例えば、原子力、火力等の発電プラントで使用されるプラント機器１９と、プラント状態量を取得するセンサ２０と、プラント状態量を取得して一時的に格納するデータ収集・処理手段としてのデータ収集・処理装置２１とを備え、運用している。プラント機器１９にはセンサ２０が接続され、センサ２０は、データ収集・処理装置２１と接続されている。データ収集・処理装置２１は、通信ネットワーク１４，１４ａ，１４ｂを介してデータ配信事業者１１および監視・診断事業者１３と接続され、データ配信事業者１１および監視・診断事業者１３とのデータのやり取りを可能にしている。
【００３０】
監視・診断事業者１３は、プラント状態量データに基づいてプラント事業者１２が備えるプラント機器１９の監視および診断を行う監視・診断手段としての監視・診断装置２３を備える。監視・診断装置２３は、通信ネットワーク１４，１４ａ，１４ｂでデータ配信事業者１１およびプラント事業者１２と接続され、データ配信事業者１１およびプラント事業者１２とのデータのやり取りを可能にしている。
【００３１】
データ配信事業者１１が行うデータのやり取りは、データ配信事業者１１が備えるデータ配信サーバ１７とプラント事業者１２が備えるデータ収集・処理装置２１と、監視・診断事業者１３が備える監視・診断装置２３とを接続する通信ネットワーク１４，１４ａ，１４ｂを介して行われる。
【００３２】
プラント事業者１２が備えるデータ収集・処理装置２１および監視・診断事業者１３が備える監視・診断装置２３から送信されるデータは、データ配信事業者１１が備えるデータ配信サーバ１７に格納されて保存される。そして、データ配信事業者１１は、データ配信サーバ１７に格納されたデータのうち配信要求のあったデータを通信ネットワーク１４，１４ａ，１４ｂを介して指定された配信要求先へ配信する。
【００３３】
プラント事業者１２が行うデータのやり取りは、主としてデータ配信事業者１１が備えるデータ配信サーバ１７を介して行われる。プラント事業者１２は、プラント機器１９の監視および診断の際には、データ配信事業者１１が備えるデータ配信サーバ１７を介して監視・診断事業者１３が備える監視・診断装置２３へプラント状態量を送信する。監視・診断事業者１３が行ったプラント機器１９の監視および診断結果は、監視・診断装置２３からデータ配信事業者１１が備えるデータ配信サーバ１７を介してプラント事業者１２が備えるデータ収集・処理装置２１で受信される。
【００３４】
監視・診断事業者１３が行うデータのやり取りは、主としてデータ配信事業者１１が備えるデータ配信サーバ１７を介して行われる。監視・診断事業者１３は、プラント機器１９の監視および診断をプラント事業者１２から依頼された際には、データ配信サーバ１７を介して監視・診断事業者１３が備える監視・診断装置２３でプラント状態量を受信する。プラント状態量データは、データ配信サーバ１７から連続的あるいは間欠的に配信される。そして、監視・診断事業者１３は、受信したプラント状態量に基づいて監視・診断装置２３で監視および診断を行う。プラント機器１９の監視および診断結果は、監視・診断装置２３からデータ配信サーバ１７を介してプラント事業者１２が備えるデータ収集・処理装置２１へ送信される。
【００３５】
データ配信事業者１１が備えるデータ配信サーバ１７は、取得したデータ、配信を制御する配信制御プログラム（以下、配信制御ＰＧする）２６および配信制御に必要な各種情報を格納する第１の記録手段２７と、プログラムを実行するプロセッサ２８を備える。
【００３６】
プラント事業者１２が備えるデータ収集・処理装置２１は、プラント機器１９のプラント状態量データを記録する処理プログラム（以下、処理ＰＧ）３０とこの処理ＰＧ３０の処理結果とを記録して格納する第２の記録手段３２と、処理ＰＧ３０を実行する演算処理部３４と、データ収集・処理装置２１を入力操作する第１の操作手段３６と、取得した各種情報を表示する第１の表示手段３７とを備える。
【００３７】
監視・診断事業者１３が備える監視・診断装置２３は、受信したプラント状態量データを記録する第３の記録手段３９と、プラント状態量データを読み込み監視・診断処理を行う監視・診断プログラム（以下、監視・診断ＰＧとする）４０と、監視・診断ＰＧ４０を実行する中央演算処理部（以下、ＣＰＵとする）４１と、監視・診断装置２３を入力操作する第２の操作手段４２と、監視・診断結果等の各種情報を表示する第２の表示手段４３とを備える。
【００３８】
図２に、本発明に係るプラントデータ配信システムおよびプラントデータ配信方法の第１の実施形態を示すプラントデータ配信システム１０で実行されるプラントデータの配信方法を説明する説明図を示す。
【００３９】
図２を用いて、データ配信事業者１１と、プラント事業者１２と、監視・診断事業者１３と間で行われるデータのやり取り（ステップＳ１〜ステップＳ１０）を通信手順を追って説明する。
【００４０】
図２に示されるプラントデータ配信システム１０で実行されるプラントデータの配信ステップは、まず、ステップＳ１で、データ収集・処理装置２１は、プラント事業者１２で運用されるプラント機器１９のプラント状態量（物理量）をデータ収集・処理装置２１が備える処理ＰＧ３０を実行することでデータ収集し、収集したプラント状態量毎にプラント状態量データファイル４５を作成する。すなわち、プラントデータの入力がなされる。次に、ステップＳ２で、ステップＳ１で入力されたプラントデータを通信ネットワーク１４ａ，１４を介して常時または間欠的にデータ配信事業者１１が備えるデータ配信サーバ１７に送信する。
【００４１】
次に、ステップＳ３で、データ配信サーバ１７は、プラントデータ受信ステップおよびプラントデータ蓄積ステップを実行する。具体的には、データ配信サーバ１７がデータ収集・処理装置２１から送信されたプラント状態量データファイル４５を受信してデータ配信サーバ１７が備える第１の記録手段２７に保存する。データ配信サーバ１７が備えるプロセッサ２８は、保存されたプラント状態量データファイル４５をプラント状態量データベース（以下、プラント状態量ＤＢとする）４６として格納する。
【００４２】
次に、ステップＳ４で、データ配信サーバ１７は、プラントデータ配信ステップを実行する。すなわち、データ配信サーバ１７は、プラント状態量ＤＢ４６を監視・診断事業者１３が備える監視・診断装置２３に通信ネットワーク１４，１４ｂを介して送信する。そして、ステップＳ５で、監視・診断装置２３は、データ配信サーバ１７から送信されたプラント状態量ＤＢ４６を受信して監視・診断装置が備える第３の記録手段３９に保存する。
【００４３】
プラント状態量ＤＢ４６が保存された後、ステップＳ６として、監視・診断装置２３が備えるＣＰＵ４１が監視・診断ＰＧ４０を読み込んで監視・診断を実行する。そして、ステップＳ７で、監視・診断装置２３は、ステップＳ６で実行した監視・診断の結果を第３の記録手段３９に監視・診断結果ファイル４７として保存した後に、データ配信事業者１１が備えるデータ配信サーバ１７へ通信ネットワーク１４ｂ，１４を介して送信する。
【００４４】
次に、ステップＳ８で、データ配信サーバ１７は、監視・診断装置２３から送信された監視・診断結果ファイル４７をデータ配信サーバ１７が備える第１の記録手段２７に保存する。データ配信サーバ１７が備えるプロセッサ２８は、保存された監視・診断結果ファイル４７を監視・診断結果データベース（以下、監視・診断結果ＤＢとする）４８として格納する。
【００４５】
そして、ステップＳ９で、データ配信サーバ１７は、監視・診断結果ファイル４７をプラント事業者１２が備えるデータ収集・処理装置２１に通信ネットワーク１４，１４ａを介して送信する。
【００４６】
次に、ステップＳ１０で、プラント事業者１２が備えるデータ収集・処理装置２１は、データ配信サーバ１７から送信された監視・診断結果、すなわち、監視・診断結果ファイル４７を受信する。そして、データ収集・処理装置２１が備える演算処理部３４が監視・診断処理結果ファイル４７を読み込んで、データ収集・処理装置２１が備える第１の表示手段３７に表示して監視・診断の結果を確認する。ステップＳ１０の処理操作が完了すると、図２に示される処理操作は完了する。新たにプラント機器１９の監視・診断を行う場合は、図２に示されるステップＳ１からステップＳ１０までの処理操作を新規に実行する。
【００４７】
尚、図２に示されるプラントデータ配信システム１０で実行されるプラントデータの配信ステップのステップＳ３およびステップＳ８において、データ配信サーバ１７は、プラント状態量データファイル４５および監視・診断結果ファイル４７を第１の記録手段２７に保存して、データベースを作成して格納しているが、必ずしもデータベースを作成して格納する必要はない。プラント状態量データファイル４５および監視・診断結果ファイル４７で保存して格納しても良い。この場合、送信されるプラントデータは、プラント状態量ＤＢ４６ではなく、少なくとも１つ以上のプラント状態量データファイル４５となる。
【００４８】
本実施形態におけるプラントデータ配信システム１０およびプラントデータ配信方法によれば、監視・診断事業者１３が、監視および診断の都度にプラント事業者１２が運用するプラント機器１９へ出向いてデータ収集を行う必要がなくなる。また、一定期間毎にプラントに出向いてデータを収集する場合に比べ、プラントデータを連続的に入手できるので、監視・診断の精度を向上させることができる。さらに、監視・診断を適切な頻度で実施することができるため、次の監視・診断までの期間を考慮した修理作業の最適化を図ることが可能となる。従って、過剰な監視・診断および修理により生じるプラント維持費用を削減できて経済的である。
【００４９】
［第２の実施形態］
図３に、本発明に係るプラントデータ配信システムおよびプラントデータ配信方法の第２の実施形態を適用したプラントデータ配信システム１０Ａの構成図を示す。
【００５０】
図３に示されるプラントデータ配信システム１０Ａは、予め設定された時刻でデータの配信を行う点で第１の実施形態を示すプラントデータ配信システム１０と異なる。しかしながら、第１の実施形態を示すプラントデータ配信システム１０と図３に示されるプラントデータ配信システム１０Ａとの構成は、基本的に異ならないので、同様の機能を有する個所には同じ符号を付して説明を省略する。
【００５１】
図３に示されるプラントデータ配信システム１０Ａは、データ配信事業者１１が備えるデータ配信手段としてのデータ配信サーバ１７Ａと、プラント事業者１２が備えるデータ収集・処理手段としてのデータ収集・処理装置２１および監視・診断事業者１３が備える監視・診断手段としての監視・診断装置２３との間で通信ネットワーク１４，１４ａ、１４ｂを介在させて構成される。そして、プラントデータ配信システム１０Ａに備えられるデータ配信サーバ１７Ａは、予め設定された時刻で監視・診断装置２３へ配信を行い得る配信制御ＰＧ２６Ａを備える。
【００５２】
プラントデータ配信システム１０Ａは、プラント事業者１２が備えるデータ収集・処理装置２１で作成されたプラント状態量データファイル４５をデータ配信事業者１１が備えるデータ配信サーバ１７Ａで受信する。受信したプラント状態量データファイル４５は、データ配信サーバ１７Ａが備える第１の記録手段２７で保存された後、データ配信サーバ１７Ａから監視・診断事業者１３が備える監視・診断装置２３へ配信するタイミングを、プラント事業者１２が希望するタイミング、例えば、毎日午後０時とか、一週間の中の決められた曜日の決められた時刻等に予め設定してデータ配信を行うものである。時刻は、例えば、クロック信号を使用する等の時刻認識方法によって認識される。プラントデータ配信の制御は、データ配信サーバ１７Ａに備えられるプロセッサ２８が配信制御ＰＧ２６Ａを読み込んで配信制御ＰＧ２６Ａを実行することでなされ、決められた時刻になると、データ配信サーバ１７Ａはプラント状態量ＤＢ４６の配信を行う。
【００５３】
図４に本発明の第２の実施形態を示すプラントデータ配信システム１０Ａで実行されるプラントデータの配信方法を説明する説明図を示す。
【００５４】
図４を用いて、データ配信事業者１１と、プラント事業者１２と、監視・診断事業者１３と間で行われるデータのやり取り（ステップＳ２０〜ステップＳ３０）を通信手順を追って説明する。
【００５５】
図４に示されるプラントデータ配信システム１０Ａで実行されるプラント状態量ＤＢ４６の配信ステップは、まず、ステップＳ２０で、データ収集・処理装置２１は、プラント機器１９から収集したプラント状態量データからプラント状態量データファイル４５を作成する。すなわち、プラントデータの入力がなされる。そして、ステップＳ２１でプラント状態量データファイル４５は、通信ネットワーク１４ａ，１４を介して常時または間欠的にデータ配信事業者１１が備えるデータ配信サーバ１７Ａに送信され、ステップＳ２２で、データ配信サーバ１７Ａは、受信したプラント状態量データファイル４５をプラント状態量ＤＢ４６に格納して、第１の記録手段２７に保存する。
【００５６】
次に、ステップＳ２３で、プラント事業者１２の都合に応じたプラントデータ配信の頻度および日時、例えば、一週間に１回、水曜日の午後１時等の予め設定された日時（以下、一定時間経過とする）になった場合（ステップＳ２３でＹＥＳの場合）は、ステップＳ２４へ進み、ステップＳ２４で、データ配信サーバ１７Ａに備えられるプロセッサ２８が配信制御ＰＧ２６Ａを読み込んで配信制御ＰＧ２６Ａを実行して、前回送信以降に第１の記録手段２７で蓄積された一週間分のプラント状態量ＤＢ４６を通信ネットワーク１４，１４ｂを介して監視・診断事業者１３が備える監視・診断装置２３に送信する。
【００５７】
次に、監視・診断装置２３は、ステップＳ２５で、データ配信サーバ１７Ａから送信されたプラント状態量ＤＢ４６を受信して、第３の記録手段３９に保存する。そして、ステップＳ２６で監視・診断装置２３が備えるＣＰＵ４１が監視・診断ＰＧ４０およびプラント状態量ＤＢ４６を読み込んで、監視・診断ＰＧ４０を実行することでプラント機器１９の監視・診断処理を行う。ステップＳ２６で監視・診断された結果は、ステップＳ２７で第３の記録手段３９に監視・診断結果ファイル４７として保存された後に、データ配信事業者１１が備えるデータ配信サーバ１７Ａへ通信ネットワーク１４ｂ，１４を介して送信される。
【００５８】
次に、ステップＳ２８で、データ配信サーバ１７Ａは、監視・診断装置２３から送信された監視・診断処理結果、すなわち、監視・診断結果ファイル４７を受信して第１の記録手段２７に保存する。そして、ステップＳ２９で通信ネットワーク１４，１４ａを介して処理結果をデータ収集・処理装置２１に送信する。
【００５９】
次に、ステップＳ３０で、データ収集・処理装置２１は、データ配信サーバ１７Ａから送信された監視・診断結果、すなわち、監視・診断結果ファイル４７を受信する。そして、データ収集・処理装置２１が備える演算処理部３４が監視・診断処理結果ファイル４７を読み込んで、データ収集・処理装置２１が備える第１の表示手段３７に表示する。ステップＳ３０の処理操作が完了すると、図４に示される処理操作は完了する。
【００６０】
一方、一定時間経過前（ステップＳ２３でＮＯの場合）は、ステップＳ２０に戻り、ステップＳ２０〜ステップＳ２２までの処理操作を実行する。
【００６１】
本実施形態におけるプラントデータ配信システム１０Ａおよびプラントデータ配信方法によれば、所定の時刻に、例えば、プラントデータが蓄積された時点に、あるいは予め決められた日時に蓄積されたプラントデータを配信することができる。また、監視・診断を行う頻度は、プラント事業者の都合に合わせて、週一回、月一回、年一回等に設定でき、予め設定した頻度、日時でプラントデータを配信することが可能なので、プラントデータ配信忘れ等によるプラントデータの欠落および監視・診断漏れを防止するとともに監視・診断の精度の向上を図ることができる。さらに、監視・診断事業者１３にとっては、プラント事業者１２が希望して予め設定した週一回、月一回、年一回等の頻度および日時でプラント状態量ＤＢ４６の配信を受けて、監視・診断を行うので、監視・診断作業のローディングを管理しやすくなり、効率良く監視・診断作業を行うことが可能となる。一方、プラント事業者１２にとっては、プラント事業者１２の都合に合わせてプラント機器１９の監視・診断を依頼することができるので、計画的かつ効率的にプラント機器１９の監視・診断を行うことが可能となる。
【００６２】
尚、図４に示されるプラントデータ配信システム１０Ａで実行されるプラントデータの配信ステップのステップＳ２２およびステップＳ２８において、データ配信サーバ１７Ａは、プラント状態量データファイル４５および監視・診断結果ファイル４７を第１の記録手段２７に保存して、データベースを作成して格納しているが、必ずしもデータベースを作成して格納する必要はない。プラント状態量データファイル４５および監視・診断結果ファイル４７で保存して格納しても良い。この場合、送信されるプラントデータは、プラント状態量ＤＢ４６ではなく、少なくとも１つ以上のプラント状態量データファイル４５となる。
【００６３】
また、プラントデータ配信システム１０Ａが実行するプラントデータの配信ステップは、データ配信サーバ１７Ａが備える配信制御ＰＧ２６Ａに予め設定された時間（一定時間）が経過した後に前回送信以降に蓄積されたプラント状態量ＤＢ４６を送信するとしたが、設定される時間は必ずしも一定間隔を有してなくても良く、監視・診断事業者１３の都合に合わせて自由な頻度、日時を設定できる。例えば、週一回、水曜日の午後１時ではなく、週二回、月曜日の午前１０時と木曜日の午後１時のように設定しても良いし、もしくは、今週は週一回、来週は週二回のように設定しても良い。
【００６４】
さらに、配信制御ＰＧ２６Ａに予め設定された時間は、監視・診断事業者１３が要望等により、データ配信事業者１１が配信制御ＰＧ２６Ａに予め設定された時間を変更することも可能である。
【００６５】
［第３の実施形態］
本発明に係るプラントデータ配信システムおよびプラントデータ配信方法の第３の実施形態は、第１の実施形態における監視・診断装置２３へのプラント状態量ＤＢ４６の配信を、監視・診断事業者１３からの配信要求を受けて行うものである。
【００６６】
図５に、本発明に係るプラントデータ配信システムおよびプラントデータ配信方法の第３の実施形態を適用したプラントデータ配信システム１０Ｂの構成図を示す。
【００６７】
図５に示されるプラントデータ配信システム１０Ｂは、監視・診断事業者１３からの配信要求を受けた後にデータの配信を行う点で第１の実施形態を示すプラントデータ配信システム１０と異なる。しかしながら、第１の実施形態を示すプラントデータ配信システム１０と図５に示されるプラントデータ配信システム１０Ｂとの構成は、基本的に異ならないので、同様の機能を有する個所には同じ符号を付して説明を省略する。
【００６８】
図５に示されるプラントデータ配信システム１０Ｂは、データ配信事業者１１が備えるデータ配信手段としてのデータ配信サーバ１７Ｂと、プラント事業者１２が備えるデータ収集・処理手段としてのデータ収集・処理装置２１および監視・診断事業者１３が備える監視・診断手段としての監視・診断装置２３との間で通信ネットワーク１４，１４ａ、１４ｂを介在させて構成される。そして、データ配信サーバ１７Ｂに備えられる第１の記録手段２７には、監視・診断事業者１３認識用の事業者認証ファイル４９が備えられる。
【００６９】
プラントデータ配信システム１０Ｂは、配信要求先（監視・診断事業者）１３から送信される配信要求信号および事業者認証をデータ配信サーバ１７で受信する。そして、データ配信サーバ１７で受信した事業者認証は、プラント状態量ＤＢ４６の送信元（プラント事業者）１２が予め許可した事業者の認証が記録される事業者認証ファイル４９と照合される。
【００７０】
データ配信サーバ１７Ｂに格納されている事業者認証ファイル４９の事業者認証と、配信要求元（監視・診断事業者）１３から送信された事業者認証とを照合して、合致する場合のみ、プラント状態量ＤＢ４６の配信を許可する。従って、予め認証を与えられた監視・診断事業者１３以外の第三者にプラントデータが配信されることを防止することができる。
【００７１】
図６に、本発明に係るプラントデータ配信システムおよびプラントデータ配信方法の第３の実施形態を示すプラントデータ配信システム１０Ｂで実行されるプラントデータの配信方法を説明する説明図を示す。
【００７２】
図６を用いて、データ配信事業者１１と、プラント事業者１２と、監視・診断事業者１３と間で行われるデータのやり取り（ステップＳ３１〜ステップＳ３９）を通信手順を追って説明する。尚、図４に示される処理操作と同様の個所、すなわち、図４に示されるステップＳ２０〜ステップＳ２２の処理操作を繰り返し実行する処理操作（以下、プラントデータ蓄積処理操作：ループＬ１とする。）、監視・診断装置２３で実行されるステップＳ２５〜ステップＳ２７の処理操作（以下、監視・診断処理操作とする。）、データ配信サーバ１７Ｂで実行されるステップＳ２８，ステップＳ２９の処理操作（以下、監視・診断結果配信処理操作とする。）、データ収集・処理装置２１で実行されるステップＳ３０の処理操作（以下、監視・診断結果表示処理操作とする。）は、第２実施形態以降も同様であるため、図６以降ではフローを簡略する。
【００７３】
図６に示されるプラントデータ配信システム１０Ｂで実行されるプラントデータの配信ステップは、まず、ステップＳ３１で、プラントデータ蓄積処理操作を実行する。すなわち、プラント状態量データファイル４５の作成して、データ配信サーバ１７Ｂが備える第１の記録手段２７でプラント状態量データファイル４５をプラント状態量ＤＢ４６に格納されて保存される。このステップＳ３１の処理操作は、監視・診断装置２３からの配信要求信号を受信するまで続けられる。
【００７４】
次に、ステップＳ３２で、監視・診断装置２３は、データ配信を要求する場合、配信要求信号と配信要求先、すなわち、監視・診断事業者１３の事業者認証を通信ネットワーク１４ｂ，１４を介してデータ配信サーバ１７Ｂに送信する。
【００７５】
次に、ステップＳ３３で、データ配信サーバ１７Ｂは、配信要求受信ステップ、事業者認証受信ステップおよび事業者認証照合ステップを実行する。
【００７６】
具体的に配信要求受信ステップ、事業者認証受信ステップおよび事業者認証照合ステップを説明すると、データ配信サーバ１７Ｂは、監視・診断装置２３から送信された配信要求信号と、配信要求先である監視・診断事業者１３の事業者認証とを受信し、配信要求先である監視・診断事業者１３が、データ送信元（プラント事業者）１２が予め許可した事業者か否かを判定するために受信した事業者認証と登録した事業者認証との照合を行う。事業者認証の照合は、データ配信サーバ１７Ｂが備えるプロセッサ２８が事業者認証ファイル４９を読み込んで、受信した事業者認証との照合を行うことでなされる。
【００７７】
ステップＳ３３で実行した照合の結果、事業者認証が合致した場合（ステップＳ３３でＹＥＳの場合）は、ステップＳ３４に進み、ステップＳ３４で、データ配信サーバ１７Ｂは、プラントデータ配信ステップを実行する。すなわち、データ配信サーバ１７Ｂは、プラント状態量ＤＢ４６を配信要求先である監視・診断事業者１３が備える監視・診断装置２３へ送信する処理操作を実行する。
【００７８】
次に、ステップＳ３５で、監視・診断装置２３が備えるＣＰＵ４１が、監視・診断ＰＧ４０を読み込んで、監視・診断処理操作を実行する。具体的には、監視・診断装置２３は、データ配信サーバ１７Ｂから受信したプラント状態量ＤＢ４６を第３の記録手段３９に保存する。そして、監視・診断装置２３が備えるＣＰＵ４１が監視・診断ＰＧ４０およびプラント状態量ＤＢ４６を読み込み、監視・診断ＰＧ４０を実行して監視・診断処理を行う。監視・診断処理されたプラント機器１９の監視・診断処理結果は、通信ネットワーク１４ｂ，１４を介してデータ配信サーバ１７Ｂに送信される。
【００７９】
次に、ステップＳ３６で、データ配信サーバ１７Ｂが備えるプロセッサ２８が、監視・診断結果配信処理操作を実行する。具体的には、データ配信サーバ１７Ｂで受信した監視・診断処理結果をデータ配信サーバ１７Ｂが備える記録手段２７に保存して、監視・診断処理結果をプラント事業者１２が備えるデータ収集・処理装置２１に送信する。
【００８０】
次に、ステップＳ３７で、データ収集・処理装置２１が備える演算処理部３４が監視・診断結果表示処理操作を実行する。具体的には、データ収集・処理装置２１は、データ配信サーバ１７Ｂから送信された監視・診断処理結果、すなわち、監視・診断結果ファイル４７を受信する。そして、データ収集・処理装置２１が備える演算処理部３４が監視・診断処理結果ファイル４７を読み込んで、データ収集・処理装置２１が備える第１の表示手段３７に表示する。ステップＳ３７の処理操作が完了すると、図６に示される処理操作は完了する。
【００８１】
一方、ステップＳ３３で実行した照合の結果、事業者認証が合致しなかった場合（ステップＳ３３でＮＯの場合）は、ステップＳ３８に進み、ステップＳ３８で、配信要求先である監視・診断事業者１３が備える監視・診断装置２３にプラント状態量ＤＢ４６の配信を許可しない旨の通知を送信する。従って、通信ネットワーク１４，１４ａ，１４ｂに接続する第三者が不正にアクセスしても、プラント状態量ＤＢ４６が漏洩することを防止できる。
【００８２】
本実施形態におけるプラントデータ配信システム１０Ｂおよびプラントデータ配信方法によれば、データ配信サーバ１７Ｂは、データ配信を希望する監視・診断事業者１３を特定する固有の事業者認証を予め登録しておき、データ配信を希望する際は、事業者認証を送信し、送信した事業者認証と登録した事業者認証が合致する場合に保存したプラントデータの配信を行うので、関係のない第三者にデータを配信してしまう事態を回避することができる。
【００８３】
また、データ配信サーバ１７Ｂは、送信した事業者認証と登録した事業者認証が合致する場合に保存したプラントデータの配信を行うので、通信ネットワーク１４，１４ａ，１４ｂに接続する第三者が不正にアクセスして、例えば、プラント状態量ＤＢ４６等の各種データファイルを閲覧、改竄（かいざん）、入手することを防止し、プラント事業者１２の内部データが外部へ漏洩するのを防止できる。
【００８４】
さらに、監視・診断事業者１３が事業者認証を送信して、送信した事業者認証と登録した事業者認証が合致する場合にデータ配信サーバ１７Ｂで保存されるプラントデータが配信されるので、監視・診断事業者１３が必要な時にだけプラントデータの配信を受けたい要望を持っている場合に対応することができる。
【００８５】
尚、図６に示されるプラントデータ配信システム１０Ｂで実行されるプラントデータの配信ステップのステップＳ３１およびステップＳ３６において、データ配信サーバ１７Ｂは、プラント状態量データファイル４５および監視・診断結果ファイル４７を第１の記録手段２７に保存して、データベースを作成して格納しているが、必ずしもデータベースを作成して格納する必要はない。プラント状態量データファイル４５および監視・診断結果ファイル４７で保存して格納しても良い。この場合、送信されるプラントデータは、プラント状態量ＤＢ４６ではなく、少なくとも１つ以上のプラント状態量データファイル４５となる。
【００８６】
また、プラントデータ配信システム１０Ｂが実行するプラントデータ配信ステップにおいて、データ配信サーバ１７が、配信要求先（監視・診断事業者）１３からの配信要求信号と事業者認証との両者を受信していたが、配信要求先（監視・診断事業者）１３からの事業者認証を受信することにより、配信要求先（監視・診断事業者）１３からプラント状態量ＤＢ４６の配信要求があったものと判断する場合には、配信要求先（監視・診断事業者）１３からの配信要求信号は無くても構わない。
【００８７】
［第４の実施形態］
本発明に係るプラントデータ配信システムおよびプラントデータ配信方法の第４の実施形態は、第３の実施形態を示すプラントデータ配信システムおよびプラントデータ配信方法に対して、監視・診断装置２３へのプラント状態量ＤＢ４６の配信を、配信要求先毎に規定されているファイルの種別に応じてプラント状態量ＤＢ４６に格納されるプラント状態量データファイル４５を選択して配信するものである。
【００８８】
図７に、本発明に係るプラントデータ配信システムおよびプラントデータ配信方法の第４の実施形態を適用したプラントデータ配信システム１０Ｃの構成図を示す。
【００８９】
図７に示されるプラントデータ配信システム１０Ｃは、データファイル配信の際に配信要求先毎に規定されている種別に応じてプラント状態量ＤＢ４６に格納されるプラント状態量データファイル４５を選択して配信する点で第３の実施形態を示すプラントデータ配信システム１０Ｂと異なる。しかしながら、第３の実施形態を示すプラントデータ配信システム１０Ｂと図７に示されるプラントデータ配信システム１０Ｃとの構成は、基本的に異ならないので、同様の機能を有する個所には同じ符号を付して説明を省略する。
【００９０】
プラントデータ配信システム１０Ｃは、データ配信事業者１１が備えるデータ配信手段としてのデータ配信サーバ１７と、プラント事業者１２が備えるデータ収集・処理手段としてのデータ収集・処理装置２１および監視・診断事業者１３が備える監視・診断手段としての監視・診断装置２３との間で通信ネットワーク１４ａ、１４ｂを介在させて構成される。そして、データ配信サーバ１７Ｃは、第３実施形態を示すデータ配信サーバ１７Ｂに対してさらに、各々の配信要求先の事業者認証に対応して配信するデータの種別を規定する配信データ設定ファイル５１を備えたものである。
【００９１】
データ配信サーバ１７Ｃは、配信要求先（監視・診断事業者）１３からのデータ配信を要求するデータの種別を識別する識別信号および配信要求先（監視・診断事業者）１３からの事業者認証を受信して、データ配信サーバ１７Ｃが備えるプロセッサ２８で、受信した事業者認証と送信元（プラント事業者）１２が予め許可した事業者の認証が記録される事業者認証ファイル４９とを照合する。
【００９２】
事業者認証ファイル４９に記録された配信要求先（監視・診断事業者）１３を示す事業者認証と、配信要求先（監視・診断事業者）１３が送信した事業者認証とが合致すると、プロセッサ２８は、配信データ設定ファイル５１に基づき、配信要求先（監視・診断事業者）１３の事業者認証に対応して規定される種別のデータの配信を許可して、規定されている種別のデータ、すなわち、規定されたプラント状態量データファイル４５を通信ネットワーク１４，１４ｂを介して配信要求先（監視・診断事業者）１３が備える監視・診断装置２３へ送信する。
【００９３】
データ配信サーバ１７Ｃが配信データ設定ファイル５１を備えることで、配信要求先である監視・診断事業者１３は、データファイルの送信元であるプラント事業者１２が事業者認証毎に規定したデータ種別のみの配信を受けるものである。また、配信要求先である監視・診断事業者１３は、数多くあるプラント状態量データファイル４５の中から、監視・診断に必要なデータファイルをプラント事業者１２が規定したデータ種別の範囲内で自由に選別して配信を受けることができる。
【００９４】
図８に、本発明に係るプラントデータ配信システムおよびプラントデータ配信方法の第４の実施形態を示すプラントデータ配信システム１０Ｃで実行されるプラントデータの配信方法を説明する説明図を示す。
【００９５】
図８を用いて、データ配信事業者１１と、プラント事業者１２と、監視・診断事業者１３と間で行われるデータのやり取り（ステップＳ４１〜ステップＳ５０）を通信手順を追って説明する。尚、図６と同様に、プラントデータ蓄積処理操作、監視・診断処理操作、監視・診断結果配信処理操作、監視・診断結果表示処理操作についてはフローを簡略する。
【００９６】
図８に示されるプラントデータ配信システム１０Ｃで実行されるプラントデータの配信ステップは、まず、ステップＳ４１で、プラントデータ蓄積処理操作を実行してプラント状態量ＤＢ４６がデータ配信サーバ１７Ｃに保存される。
【００９７】
次に、ステップＳ４２で、監視・診断装置２３は、データ配信を要求する場合、配信要求信号、配信を要求するデータの種別を識別する識別信号および配信要求先、すなわち、監視・診断事業者１３の事業者認証を通信ネットワーク１４ｂ，１４を介してデータ配信サーバ１７Ｃに送信する。
【００９８】
次に、ステップＳ４３で、データ配信サーバ１７Ｃは、データ識別信号受信ステップおよび事業者認証受信ステップとして、監視・診断装置２３から送信された配信要求信号、配信を要求するデータの種別を識別する識別信号や、配信要求先（監視・診断事業者）１３の事業者認証を受信する。そして、ステップＳ４４で、データ配信サーバ１７Ｃは、事業者認証照合ステップとしての事業者認証照合を行う。事業者認証照合は、データ送信元（プラント事業者）１２が予め許可した事業者か否かを判定するために受信した事業者認証と、送信元（プラント事業者）１２が予め登録した配信要求先（監視・診断事業者）１３を示す事業者認証との照合を行うことでなされる。
【００９９】
ステップＳ４４で実行した照合の結果、事業者認証が合致した場合（ステップＳ４４でＹＥＳの場合）は、ステップＳ４５に進み、ステップＳ４５で、データ配信サーバ１７Ｃは、プラント状態量ＤＢ４６からプラント事業者１２が配信を規定したデータとしてのプラント状態量データファイル４５を選別する。そして、ステップＳ４６で、配信要求先（監視・診断事業者）１３が備える監視・診断装置２３へ送信する。
【０１００】
次に、ステップＳ４７で、監視・診断装置２３が備えるＣＰＵ４１が監視・診断ＰＧ４０および受信したプラント状態量データファイル４５を読み込んで、監視・診断処理操作を実行する。ステップＳ４７の監視・診断処理操作の実行により、監視・診断処理結果としての監視・診断結果ファイル４７がデータ配信サーバ１７Ｃに送信される。
【０１０１】
次に、ステップＳ４８で、データ配信サーバ１７Ｃが備えるプロセッサ２８が、監視・診断結果配信処理操作を実行して、監視・診断処理結果としての監視・診断結果ファイル４７をプラント事業者１２が備えるデータ収集・処理装置２１に送信する。
【０１０２】
次に、ステップＳ４９で、データ収集・処理装置２１が監視・診断結果ファイル４７を受信してデータ収集・処理装置２１が備える演算処理部３４が監視・診断結果表示処理操作を実行する。演算処理部３４が監視・診断結果表示処理操作を実行することで、データ収集・処理装置２１が備える第１の表示手段３７に監視・診断処理結果が表示される。ステップＳ４９の処理操作が完了すると、図８に示される処理操作は完了する。
【０１０３】
一方、ステップＳ４４で実行した照合の結果、事業者認証が合致しない場合（ステップＳ４４でＮＯの場合）は、ステップＳ５０に進み、配信要求先である監視・診断事業者１３が備える監視・診断装置２３にプラント状態量ＤＢ４６の配信を許可しない旨の通知を送信する。従って、データ配信サーバ１７Ｃがデータ配信前に事業者認証を照合することで、通信ネットワーク１４，１４ａ，１４ｂに接続する第三者が不正にアクセスしても、プラント状態量ＤＢ４６が漏洩することを防止できる。
【０１０４】
図８に示されるプラントデータ配信システム１０Ｃが実行するプラントデータ配信ステップにおいて、ステップＳ４１に示される処理操作、すなわち、プラントデータ蓄積処理操作は、ステップＳ４２以降の処理操作に拘わらず継続される。従って、新たなデータ配信要求を行う場合は、ステップＳ４２より処理操作が開始される。
【０１０５】
本実施形態におけるプラントデータ配信システム１０Ｃおよびプラントデータ配信方法においては、監視・診断事業者がデータ種別を指定してプラントデータの配信を行うことが可能なので、監視・診断に真に必要なデータのみを配信することができる。このため、監視・診断事業者１３において不要なデータの取り込みによる通信費用の増加や、監視・診断装置２３が備える第３の記録手段の容量オーバにより監視・診断作業に支障が生じるのを防止できる。
【０１０６】
尚、図８に示されるプラントデータ配信システム１０Ｃで実行されるプラントデータの配信ステップにおいて、ステップＳ４１およびステップＳ４８でデータ配信サーバ１７Ｃは、プラント状態量データファイル４５および監視・診断結果ファイル４７を第１の記録手段２７に保存して、データベースを作成して格納しているが、必ずしもデータベースを作成して格納する必要はない。プラント状態量データファイル４５および監視・診断結果ファイル４７で保存して格納しても良い。この場合、送信されるプラントデータは、プラント状態量ＤＢ４６ではなく、少なくとも１つ以上のプラント状態量データファイル４５となる。
【０１０７】
また、本実施形態におけるデータ配信サーバ１７Ｃは、配信要求先（監視・診断事業者）１３から配信を要求するデータの種別を識別する識別信号を受信して、規定されたデータを全て配信していたが、配信要求先（監視・診断事業者）１３が規定された種別データの範囲のうち、一部のデータを選別して配信を望む場合は、配信要求先（監視・診断事業者）１３は、必要な一部のデータを選別して配信を要求するデータの種別を識別する識別信号を送信して、データ配信サーバ１７Ｃが必要な一部のデータを選別して配信を行っても良い。
【０１０８】
さらに、配信要求先（監視・診断事業者）１３からの事業者認証の送信が配信要求を兼ねるように設定しても良い。この場合は、配信要求信号の送信は不要となる。
【０１０９】
［第５の実施形態］
本発明に係るプラントデータ配信システムおよびプラントデータ配信方法の第５の実施形態は、配信要求元である監視・診断事業者１３からのデータ配信要求に対してプラント状態量ＤＢ４６の送信元であるプラント事業者１２の許諾を得られた場合にのみ、プラント状態量ＤＢ４６または、プラント状態量ＤＢ４６から規定された種別のデータとしてのプラント状態量データファイル４５を選別して監視・診断事業者１３に配信するものである。
【０１１０】
図９に、本発明に係るプラントデータ配信システムおよびプラントデータ配信方法の第５の実施形態を適用したプラントデータ配信システム１０Ｄの構成図を示す。
【０１１１】
図９に示されるプラントデータ配信システム１０Ｄは、配信要求元である監視・診断事業者１３からのデータ配信要求に対してプラント状態量データファイル４５の送信元であるプラント事業者１２の許諾を得られた場合にのみ、プラント状態量データファイル４５を監視・診断事業者１３に配信する点で第３の実施形態を示すプラントデータ配信システム１０Ｂと異なる。しかしながら、第３の実施形態を示すプラントデータ配信システム１０Ｂと図９に示されるプラントデータ配信システム１０Ｄとの構成は、基本的に異ならないので、同様の機能を有する個所には同じ符号を付して説明を省略する。
【０１１２】
図９に示されるプラントデータ配信システム１０Ｄは、データ配信事業者１１が備えるデータ配信手段としてのデータ配信サーバ１７Ｄと、プラント事業者１２が備えるデータ収集・処理手段としてのデータ収集・処理装置２１および監視・診断事業者１３が備える監視・診断手段としての監視・診断装置２３との間で通信ネットワーク１４，１４ａ、１４ｂを介在させて構成される。そして、データ配信サーバ１７Ｄは、第３実施形態を示すデータ配信サーバ１７Ｂに対してさらに、データの送信元（プラント事業者）１２用の送信事業者認証ファイル５２を備えたものである。
【０１１３】
データ配信サーバ１７Ｄは、データ送信元（プラント事業者）１２が送信した送信元認証が、データ配信サーバ１７Ｄが備える送信元認証ファイル５２の送信元認証と合致する場合にのみ、配信要求先（監視・診断事業者）１３用の事業者認証ファイル４９内の事業者認証を変更可能にしている。従って、データ送信元（プラント事業者）１２は、必要に応じて、配信要求先（監視・診断事業者）１３へのプラントデータ配信のＯＮ／ＯＦＦを切り換える事ができる。
【０１１４】
図１０に、本発明に係るプラントデータ配信システムおよびプラントデータ配信方法の第５の実施形態を示すプラントデータ配信システム１０Ｄで実行されるプラントデータの配信方法を説明する説明図を示す。
【０１１５】
図１０を用いて、データ配信事業者１１と、プラント事業者１２と、監視・診断事業者１３と間で行われるデータのやり取り（ステップＳ５１〜ステップＳ６３）を通信手順を追って説明する。尚、図６と同様に、プラントデータ蓄積処理操作、監視・診断処理操作、監視・診断結果配信処理操作、監視・診断結果表示処理操作についてはフローを簡略する。
【０１１６】
図１０に示されるプラントデータ配信システム１０Ｄで実行されるプラントデータの配信ステップは、まず、ステップＳ５１で、プラントデータ蓄積処理操作を実行してプラント状態量ＤＢ４６がデータ配信サーバ１７Ｄに保存される。
【０１１７】
次に、データ送信元（プラント事業者）１２は、ステップＳ５２〜ステップＳ５５の処理操作（以下、事業者認証更新処理操作とする。）を実行してデータ配信を許諾した配信要求先（監視・診断事業者）１３にのみ配信可能なように設定する。すなわち、データ送信元（プラント事業者）１２は、事業者認証ファイル４９を更新して事業者認証の変更を行い、変更後の事業者認証をデータ配信を許諾した（監視・診断事業者）１３に連絡する。
【０１１８】
事業者認証更新処理操作（ステップＳ５２〜ステップＳ５５）は、データ配信許諾受信ステップと、事業者認証更新ステップとを備える。
【０１１９】
事業者認証更新処理操作は、まず、ステップＳ５２で、データ収集・処理装置２１が、配信要求先（監視・診断事業者）１３用の事業者認証の変更要求信号と、データ送信元（プラント事業者）１２用の送信元認証を通信ネットワーク１４ａ，１４を介してデータ配信サーバ１７Ｄに送信する。
【０１２０】
次に、ステップＳ５３で、データ配信サーバ１７Ｄが備えるプロセッサ２８が、データ配信許諾受信ステップとして事業者認証変更要求受信ステップ、送信元認証受信ステップおよび送信元認証照合ステップを実行する。ステップＳ５３において、データ配信サーバ１７Ｄが備えるプロセッサ２８は、まず、データ配信許諾受信ステップが備える事業者認証変更要求受信ステップおよび送信元認証受信ステップとして、データ送信元（プラント事業者）１２から送信された配信要求先（監視・診断事業者）１３用の事業者認証の変更要求信号と送信元認証とを受信する。次に、送信元認証照合ステップとして、データ配信サーバ１７Ｄが備えるプロセッサ２８は、受信したデータ送信元（プラント事業者）１２を示す送信元認証とデータ配信サーバ１７Ｄが備える送信元認証ファイル５２に記録される送信元認証とを照合する。
【０１２１】
ステップＳ５３の照合の結果、送信元認証が合致した場合（ステップＳ５３でＹＥＳ場合）は、ステップＳ５４に進み、ステップＳ５４でデータ配信サーバ１７Ｄが備えるプロセッサ２８が、事業者認証更新許可ステップを実行する。事業者認証更新許可ステップを具体的に説明すると、データ配信サーバ１７Ｄが備えるプロセッサ２８は、事業者認証の変更指示要求を許可した旨の通知を通信ネットワーク１４，１４ａを介してデータ送信元（プラント事業者）１２が備えるデータ収集・処理装置２１に通知する。
【０１２２】
次に、ステップＳ５５で、データ収集・処理装置２１は、データ配信サーバ１７Ｄからの要求を受信した後、配信要求先（監視・診断事業者）１３用の事業者認証の変更をデータ収集・処理装置２１が備える第１の操作手段３６より入力操作して行う。配信要求先（監視・診断事業者）１３用の事業者認証の変更の入力操作が完了すると、データ配信サーバ１７Ｄは、事業者認証更新ステップとして事業者認証の変更を行い、事業者認証ファイル４９のファイル内容を更新する。
【０１２３】
また、ステップＳ５５では、変更した配信要求先（監視・診断事業者）１３用の事業者認証の更新がデータ配信サーバ１７Ｄでなされるとともに、配信要求先（監視・診断事業者）１３にも、変更後の事業者認証が通信ネットワーク１４ａ，１４，１４ｂを介して監視・診断装置２３に通知される。
【０１２４】
配信要求先（監視・診断事業者）１３は、変更後の事業者認証の通知を受けてデータ配信を要求する場合、ステップＳ５６で、監視・診断装置２３から、配信要求信号、配信を要求するデータの種別を識別する識別信号および配信要求先を指示した配信指示と、監視・診断事業者１３の事業者認証とを通信ネットワーク１４ｂ，１４を介してデータ配信サーバ１７Ｄに送信する。
【０１２５】
次に、ステップＳ５７で、データ配信サーバ１７Ｄは、配信要求受信ステップ、事業者認証受信ステップおよび事業者認証照合ステップを実行する。ステップＳ５７において、データ配信サーバ１７Ｄは、まず、配信要求受信ステップおよび事業者認証受信ステップとして、監視・診断装置２３から通信ネットワーク１４ｂ，１４を介して送信された配信指示と、監視・診断事業者１３の事業者認証とを受信する。次に、事業者認証照合ステップとして、データ配信サーバ１７Ｄが備えるプロセッサ２８がステップＳ５５で更新した事業者認証ファイル４９に記録された配信要求先（監視・診断事業者）１３用の事業者認証と、配信要求先（監視・診断事業者）１３から送信された事業者認証とを照合する。そして、照合の結果、事業者認証が合致した場合（ステップＳ５７でＹＥＳの場合）は、ステップＳ５８に進む。
【０１２６】
次に、ステップＳ５８で、データ配信サーバ１７Ｄは、プラントデータ配信ステップを実行する。すなわち、データ配信サーバ１７Ｄは、プラント状態量ＤＢ４６を配信要求先である監視・診断事業者１３に備えられる監視・診断装置２３へ配信する。
【０１２７】
次に、ステップＳ５９で、監視・診断装置２３が備えるＣＰＵ４１が監視・診断ＰＧ４０および受信したプラント状態量ＤＢ４６を読み込んで、監視・診断処理操作を実行する。ステップＳ５９の監視・診断処理操作の実行により、監視・診断処理結果としての監視・診断結果ファイル４７がデータ配信サーバ１７Ｄに送信される。
【０１２８】
次に、ステップＳ６０で、データ配信サーバ１７Ｄが備えるプロセッサ２８が、監視・診断結果配信処理操作を実行して、監視・診断処理結果としての監視・診断結果ファイル４７をプラント事業者１２が備えるデータ収集・処理装置２１に送信する。
【０１２９】
次に、ステップＳ６１で、データ収集・処理装置２１が監視・診断結果ファイル４７を受信してデータ収集・処理装置２１が備える演算処理部３４が監視・診断結果表示処理操作を実行する。演算処理部３４が監視・診断結果表示処理操作を実行することで、データ収集・処理装置２１が備える第１の表示手段３７に監視・診断処理結果が表示される。ステップＳ６１の処理操作が完了すると、図１０に示される処理操作は完了する。
【０１３０】
一方、ステップＳ５３の照合の結果、送信元認証が合致しない場合（ステップＳ５３でＮＯの場合）は、ステップＳ６２に進み、データ配信サーバ１７Ｄが備えるプロセッサ２８がデータ送信元であるプラント事業者１２が備えるデータ収集・処理装置２１に監視・診断事業者１３の事業者認証変更を許可しない旨の通知を通信ネットワーク１４，１４ａを介して送信する。また、ステップＳ５７で実行した照合の結果、事業者認証が合致しない場合（ステップＳ５７でＮＯの場合）は、ステップＳ６３に進み、配信要求先である監視・診断事業者１３が備える監視・診断装置２３にプラント状態量ＤＢ４６の配信を許可しない旨の通知を送信する。
【０１３１】
さらに、図１０に示されるステップＳ５１の処理操作、すなわち、プラントデータ蓄積処理操作は、事業者認証更新処理操作に拘わらず継続される。また、新たにプラントデータの配信を要求する場合は、ステップＳ５２からの事業者認証更新処理操作またはステップＳ５６の配信要求信号および事業者認証の送信から開始される。
【０１３２】
本実施形態におけるプラントデータ配信システム１０Ｄおよびプラントデータ配信方法によれば、送信元（プラント事業者）１２は、データ配信の許可をオン／オフ（ＯＮ／ＯＦＦ）できるようになり、配信要求先（監視・診断事業者）１３は、データ送信元（プラント事業者）１２の許諾を得られた場合にプラントデータの配信を行うようにすることができる。従って、プラントデータ送信元（プラント事業者）１２の許諾なしに監視・診断を行う監視・診断事業者１３は、プラントデータの配信が受けられなくなり、データ送信元（プラント事業者）１２が必要と認める以上のデータ種別、頻度のプラントデータ配信を防止することができる。
【０１３３】
また、プラント事業者１２の許諾が得られた場合にのみ、許諾の得られた範囲のデータを監視・診断事業者１３に配信することができるので、通信ネットワーク１４，１４ａ，１４ｂにアクセスする第三者にプラント事業者１２の内部データを閲覧、改竄、または入手されるのを防止できる。従って、プラント事業者１２にとって、特定データの外部流出による不利益の発生を防止することができる。さらに、取引を停止した事業者等がデータ配信サーバ１７Ｄにアクセスしてデータ配信要求を行っても、事業者認証ファイル４９を更新可能なため、事業者認証ファイル４９を更新後はデータ配信要求が許可されることがなく、プラントデータが流出するのを事前に防止できる。
【０１３４】
一方、プラント機器１９の特殊運転等で、プラント事業者１２にとって、プラントデータが通常と異なる数値を示す原因が予め分っている場合には、許諾機能を不実行にすることにより、監視・診断事業者１３がプラントデータを用いた診断解析を行うことを防止でき、原因が分っているにも係わらず診断解析を行うことによる余分な費用が発生することを防止することができる。逆に、プラントに異常の兆候が見られる等、特に監視・診断が必要と思われる場合には、許諾機能を実行にすることにより、必要なプラントデータに限定して監視・診断事業者１３へ配信することができる。
【０１３５】
尚、図１０に示されるプラントデータ配信システム１０Ｄで実行されるプラントデータの配信ステップのステップＳ５１およびステップＳ６０において、データ配信サーバ１７Ｄは、プラント状態量データファイル４５および監視・診断結果ファイル４７を第１の記録手段２７に保存して、データベースを作成して格納しているが、必ずしもデータベースを作成して格納する必要はない。プラント状態量データファイル４５および監視・診断結果ファイル４７で保存して格納しても良い。この場合、送信されるプラントデータは、プラント状態量ＤＢ４６ではなく、少なくとも１つ以上のプラント状態量データファイル４５となる。
【０１３６】
また、プラントデータ配信システム１０Ｄは、データ配信サーバ１７Ｄが配信要求先（監視・診断事業者）１３から配信要求信号を受信するが、配信要求先（監視・診断事業者）１３からの事業者認証の受信が配信要求も兼ねるときは配信要求信号の送信は不要となる。
【０１３７】
さらに、図９に示されるデータ配信サーバ１７Ｄに、図７に示される配信データ設定ファイル５１と同様な配信データ設定ファイルを設けて、配信要求先に応じて配信するデータを選別して配信するようにしても良い。さらにまた、データ配信サーバ１７Ｄで実行されるプラントデータ配信ステップは、プラントデータの送信元から配信を要求する配信要求信号および配信を要求するデータの種別を識別するデータ識別信号を受信するステップとしても良い。
【０１３８】
一方、プラントデータ配信システム１０Ｄが実行するプラントデータの配信ステップでは、データ送信元（プラント事業者）１２が配信要求を許諾した場合、データ送信元（プラント事業者）１２は登録された配信要求先の認証を変更して、変更後の事業者認証を配信要求先（監視・診断事業者）１３に連絡しているが、変更後の事業者認証を配信要求先（監視・診断事業者）１３に連絡せずに、データ送信元（プラント事業者）１２が変更した事業者認証を元に戻して、配信要求先（監視・診断事業者）１３に配信要求するようにさせても構わない。
【０１３９】
［第６の実施形態］
本発明に係るプラントデータ配信システムおよびプラントデータ配信方法の第６の実施形態は、送信元（プラント事業者）１２が必要と判断する場合にのみ配信要求先（監視・診断事業者）１３にプラントデータを配信するものである。
【０１４０】
図１１に、本発明に係るプラントデータ配信システムおよびプラントデータ配信方法の第６の実施形態を適用したプラントデータ配信システム１０Ｅの構成図を示す。
【０１４１】
図１１に示されるプラントデータ配信システム１０Ｅは、送信元（プラント事業者）１２が送信した送信元認証が、予め登録される送信元認証ファイル５２と合致する場合にのみ、データ送信元（プラント事業者）１２に配信要求先（監視・診断事業者）１３のデータ配信要求先アドレス（通信ネットワーク上のアドレス）を指定させて、プラントデータ配信システム１０Ｅが備えるデータ配信サーバ１７Ｅに通信ネットワーク１４，１４ｂを介してプラントデータを配信する点で第３の実施形態を示すプラントデータ配信システム１０Ｂと異なる。しかしながら、第３の実施形態を示すプラントデータ配信システム１０Ｂと図１１に示されるプラントデータ配信システム１０Ｅとの構成は、基本的に異ならないので、同様の機能を有する個所には同じ符号を付して説明を省略する。
【０１４２】
図１１に示されるプラントデータ配信システム１０Ｅは、データ配信事業者１１が備えるデータ配信手段としてのデータ配信サーバ１７Ｅと、プラント事業者１２が備えるデータ収集・処理手段としてのデータ収集・処理装置２１および監視・診断事業者１３が備える監視・診断手段としての監視・診断装置２３との間で通信ネットワーク１４ａ、１４ｂを介在させて構成される。そして、データ配信サーバ１７Ｅは、事業者認証ファイル４９と、送信元認証ファイル５２とを備える。
【０１４３】
データ配信サーバ１７Ｅは、データ収集・処理装置２１から通信ネットワーク１４ａ，１４を介して、指定した監視・診断事業者１３にデータ配信を要求する信号およびプラント事業者１２の送信元認証を受信する。指定した監視・診断事業者１３にデータ配信を要求する信号およびプラント事業者１２の送信元認証を受信したら、送信元認証ファイル５２に記録される送信元認証と、受信した送信元認証とを照合する。照合の結果、合致した場合は、蓄積されたプラントデータ、すなわち、プラント状態量ＤＢ４６を指定された配信要求先（監視・診断事業者）１３に通信ネットワーク１４ｂを介して指定された監視・診断装置２３に配信する。
【０１４４】
図１２に、本発明に係るプラントデータ配信システムおよびプラントデータ配信方法の第６の実施形態を示すプラントデータ配信システム１０Ｅで実行されるプラントデータの配信方法を説明する説明図を示す。
【０１４５】
図１２を用いて、データ配信事業者１１と、プラント事業者１２と、監視・診断事業者１３と間で行われるデータのやり取り（ステップＳ７１〜ステップＳ８１）を通信手順を追って説明する。尚、図６と同様に、プラントデータ蓄積処理操作、監視・診断処理操作、監視・診断結果配信処理操作、監視・診断結果表示処理操作についてはフローを簡略する。
【０１４６】
図１２に示されるプラントデータ配信システム１０Ｅで実行されるプラントデータの配信ステップは、まず、ステップＳ７１で、プラントデータ蓄積処理操作を実行してプラント状態量ＤＢ４６がデータ配信サーバ１７Ｅに保存される。
【０１４７】
次に、ステップＳ７２で、データ送信元（プラント事業者）１２は、データ配信を必要とする場合、配信要求信号と、データ送信元（プラント事業者）１２の送信元認証をデータ収集・処理装置２１から通信ネットワーク１４ａ，１４を介してデータ配信サーバ１７Ｅに送信する。
【０１４８】
次に、ステップＳ７３で、データ配信サーバ１７Ｅが配信指示受信ステップ、送信元認証受信ステップおよび送信元認証照合ステップを実行する。ステップＳ７３において、データ配信サーバ１７Ｅは、まず、配信指示受信ステップおよび送信元認証受信ステップとして、データ配信サーバ１７Ｅでデータ収集・処理装置２１から送信された配信要求信号およびデータ送信元（プラント事業者）１２の送信元認証を受信する。次に、データ送信元（プラント事業者）１２の送信元認証を受信したら、送信元認証ステップとして、データ配信サーバ１７Ｅが備えるプロッセサ２８が、受信した送信元認証と、送信元認証ファイル５２に記録されたデータ送信元（プラント事業者）１２に対応する送信元認証とを照合する。
【０１４９】
次に、ステップＳ７３の送信元認証照合ステップで照合した結果、２つの送信元認証が合致した場合（ステップＳ７３でＹＥＳの場合）は、ステップＳ７４に進み、ステップＳ７４で、データ配信サーバ１７Ｅが備えるプロッセサ２８が、受信したデータ送信元（プラント事業者）１２のデータ収集・処理装置２１にデータ配信指示（配信要求先アドレス、配信データの種別等の指示）を通信ネットワーク１４，１４ａを介して要求する通知を送信する。
【０１５０】
次に、データ送信元（プラント事業者）１２のデータ収集・処理装置２１がデータ配信指示を受信すると、ステップＳ７５で、データ送信元（プラント事業者）１２は、データ収集・処理装置２１が備える第１の操作手段３６よりデータ配信指示およびデータ配信指示のデータ配信サーバ１７Ｅへの送信を入力操作して、データ配信サーバ１７Ｅへデータ配信指示を送信する。
【０１５１】
次に、ステップＳ７６で、データ配信サーバ１７Ｅが備えるプロセッサ２８は、データ収集・処理装置２１から送信されたデータ配信指示を受信して、データ配信指示で指定された配信要求先のアドレス宛にプラント状態量ＤＢ４６を送信する設定を行い、ステップＳ７７で、プラントデータ送信ステップを実行する。プラントデータ送信ステップは、データ配信サーバ１７Ｅが備えるプロセッサ２８が通信ネットワーク１４，１４ｂを介してデータ配信指示で指定された配信要求先のアドレス宛にプラント状態量ＤＢ４６を送信する処理操作である。
【０１５２】
次に、ステップＳ７８で、監視・診断事業者１３は、通信ネットワーク１４，１４ｂを介して、監視・診断装置２３でデータ配信サーバ１７Ｅから送信されたプラント状態量ＤＢ４６を受信する。そして、監視・診断装置２３が備えるＣＰＵ４１が監視・診断処理操作を実行する。ステップＳ７８の監視・診断処理操作の実行により、監視・診断処理結果としての監視・診断結果ファイル４７がデータ配信サーバ１７Ｅに送信される。
【０１５３】
次に、ステップＳ７９で、データ配信サーバ１７Ｅが備えるプロセッサ２８が、監視・診断結果配信処理操作を実行して、監視・診断処理結果としての監視・診断結果ファイル４７をプラント事業者１２が備えるデータ収集・処理装置２１に送信する。
【０１５４】
次に、ステップＳ８０で、データ収集・処理装置２１が監視・診断結果ファイル４７を受信してデータ収集・処理装置２１が備える演算処理部３４が監視・診断結果表示処理操作を実行する。演算処理部３４が監視・診断結果表示処理操作を実行することで、データ収集・処理装置２１が備える第１の表示手段３７に監視・診断処理結果が表示される。ステップＳ８０の処理操作が完了すると、図１２に示される処理操作は完了する。
【０１５５】
一方、ステップＳ７３の照合の結果、送信元認証が合致しない場合（ステップＳ７３でＮＯの場合）は、ステップＳ８１に進み、データ配信サーバ１７Ｅが備えるプロセッサ２８がデータ送信元であるプラント事業者１２が備えるデータ収集・処理装置２１にプラント事業者１２を示す送信元認証が合致しない旨の通知を通信ネットワーク１４，１４ａを介して送信する。
【０１５６】
また、新たにプラントデータの配信を要求する場合は、図１２に示されるステップＳ７２〜ステップＳ８１の処理操作を実行する。さらに、ステップＳ７１の処理操作、すなわち、プラントデータ蓄積処理操作は、ステップＳ７２以降の処理操作に拘わらず、継続される。
【０１５７】
本実施形態におけるプラントデータ配信システム１０Ｅおよびプラントデータ配信方法によれば、送信元（プラント事業者）１２が必要と判断する場合にのみ配信要求先（監視・診断事業者）１３にプラントデータとしてのプラント状態量ＤＢ４６の配信を配信して、監視・診断のサービスを受けることができる。従って、プラント事業者１２は、プラント機器１９に異常の兆候が現れた場合や、プラント機器１９が特殊な運用を行う場合等、適切な頻度、タイミングでの監視・診断サービスを受けることができる。また、プラント機器１９の信頼性を低減することなく、監視・診断に要する費用を最小限の水準まで削減することが可能となり、プラント事業者１２にとって経済的である。
【０１５８】
さらに、プラントデータ配信システム１０Ｅは、データ送信元が事前に登録した送信元認証と受信した送信元認証との照合を行うので、通信ネットワーク１４，１４ａ，１４ｂにアクセスする第三者にプラント事業者１２の内部データを閲覧、改竄、または入手されるのを防止できる。
【０１５９】
尚、図１２に示されるプラントデータ配信システム１０Ｅで実行されるプラントデータの配信ステップのステップＳ７１およびステップＳ７８において、プラント状態量データファイル４５および監視・診断結果ファイル４７を第１の記録手段２７に保存して、データベースを作成して格納しているが、必ずしもデータベースを作成して格納する必要はない。プラント状態量データファイル４５および監視・診断結果ファイル４７で保存して格納しても良い。この場合、送信されるプラントデータは、プラント状態量ＤＢ４６ではなく、少なくとも１つ以上のプラント状態量データファイル４５となる。
【０１６０】
また、データ配信サーバ１７Ｅが実行するデータ配信ステップは、データ配信サーバ１７Ｅがデータ送信元（プラント事業者）１２の送信元認証と送信元認証ファイル５２に記録されている送信元認証とを照合して合致した後に、配信要求先アドレスや配信データの種別等のデータ配信指示を受信しているが、データ送信元（プラント事業者）１２からの送信元認証を受信する際（ステップＳ７３）に、データ配信指示も受信するように構成しても良い。
【０１６１】
さらに、図１２に示されるステップＳ７５で入力するデータ配信指示において、配信要求先のアドレスは、直接に監視・診断装置２３へ配信されるように指定していたが、プラント事業者１２は、指定した監視・診断事業者１３が備える監視・診断装置２３から通信ネットワーク１４，１４ｂを介して接続可能なＵＲＬ（Ｕｎｉｆｏｒｍ　Ｒｅｓｏｕｒｃｅ　Ｌｏｃａｔｏｒ）を指定して、監視・診断事業者１３が監視・診断装置２３から指定したＵＲＬに接続してプラント状態量ＤＢ４６をダウンロードするようにしても良い。
【０１６２】
一方、データ配信サーバ１７Ｅは、図７に示される配信データサーバ１７Ｃが備える配信データ設定ファイル５１と同様な配信データ設定ファイルをさらに設けて、配信要求先に応じてデータを選別して配信可能に構成しても良い。また、データ配信サーバ１７Ｅで実行される配信指示受信ステップは、前記プラントデータの送信元から配信を要求するデータの種別を識別するデータ識別信号および配信要求先アドレスを受信するステップとしても良い。
【０１６３】
［第７の実施形態］
本発明に係るプラントデータ配信システムおよびプラントデータ配信方法の第７の実施形態は、簡単な異常有無の判定を行い、その結果、異常の可能性がある場合に、配信要求先（監視・診断事業者）１３にプラントデータを配信してより詳細な監視・診断処理操作を実行するものである。
【０１６４】
図１３に、本発明に係るプラントデータ配信システムおよびプラントデータ配信方法の第７の実施形態を適用したプラントデータ配信システム１０Ｆの構成図を示す。
【０１６５】
図１３に示されるプラントデータ配信システム１０Ｆは、簡単な異常有無の判定を行い、異常有無判定の結果、異常の可能性がある場合に、配信要求先（監視・診断事業者）１３にプラントデータを配信する点で第３の実施形態を示すプラントデータ配信システム１０Ｂと異なる。しかしながら、第３の実施形態を示すプラントデータ配信システム１０Ｂと図１３に示されるプラントデータ配信システム１０Ｆとの構成は、基本的に異ならないので、同様の機能を有する個所には同じ符号を付して説明を省略する。
【０１６６】
図１３に示されるプラントデータ配信システム１０Ｆは、データ配信事業者１１が備えるデータ配信手段としてのデータ配信サーバ１７Ｆと、プラント事業者１２が備えるデータ収集・処理手段としてのデータ収集・処理装置２１および監視・診断事業者１３が備える監視・診断手段としての監視・診断装置２３との間で通信ネットワーク１４，１４ａ、１４ｂを介在させて構成される。そして、データ配信サーバ１７Ｆは、データ配信サーバ１７Ｂに対してさらに、簡単な異常有無の判定を実行する異常判定プログラム（以下、異常判定ＰＧとする）５４を備えている。
【０１６７】
データ配信サーバ１７Ｆは、データ収集・処理装置２１から通信ネットワーク１４ａ，１４を介してプラントデータとしてのプラント状態量データファイル４５を受信して、プラント状態量ＤＢ４６に保存して格納する。そして、データ配信サーバ１７Ｆが備えるプロッセサ２８がプラント状態量ＤＢ４６および異常判定ＰＧ５４を読み込んで、プラント機器１９の異常有無判定を実行する。
【０１６８】
異常有無判定の結果が、例えば、プラント機器１９の運転に支障を来たし得る異常が有る確率が５０％以上等の一定の条件を満たす場合（以下、異常が有ると判定される場合とする）には、異常有無判定の結果を送信元（プラント事業者）１２に通知して、監視・診断事業者１３が詳細な監視・診断を実行するのに必要なプラントデータを配信要求先（監視・診断事業者）１３に必要なデータを配信する。
【０１６９】
図１４に、本発明に係るプラントデータ配信システムおよびプラントデータ配信方法の第７の実施形態を示すプラントデータ配信システム１０Ｆで実行されるプラントデータの配信方法を説明する説明図を示す。
【０１７０】
図１４を用いて、データ配信事業者１１と、プラント事業者１２と、監視・診断事業者１３と間で行われるデータのやり取り（ステップＳ９１〜ステップＳ１０４）を通信手順を追って説明する。尚、図６と同様に、プラントデータ蓄積処理操作、監視・診断処理操作、監視・診断結果配信処理操作、監視・診断結果表示処理操作についてはフローを簡略する。
【０１７１】
図１４に示されるプラントデータ配信システム１０Ｆで実行されるプラントデータの配信ステップは、まず、ステップＳ９１で、プラントデータ蓄積処理操作を実行してプラント状態量ＤＢ４６がデータ配信サーバ１７Ｆに保存される。
【０１７２】
次に、ステップＳ９２で、異常判定ステップを実行する。異常判定ステップは、データ配信サーバ１７Ｆが備えるプロセッサ２８が蓄積されたプラントデータおよび異常判定ＰＧ５４を読み込んで、異常判定ＰＧ５４を実行してプラント機器１９の簡単な異常有無の判定を行う。異常判定ＰＧ５４の実行により、プロセッサ２８は異常有無判定の結果としての異常判定結果ファイル５５を作成する。そして、ステップＳ９３に進み、ステップＳ９３でプラント機器１９に異常が有ると判定した場合（ステップＳ９３でＹＥＳの場合）は、ステップＳ９４に進み、ステップＳ９４で、異常有無判定結果通知ステップとして、異常有無判定の結果、すなわち、プラント機器１９に異常が有る旨の判定結果内容を記した異常判定結果ファイル５５をデータ配信サーバ１７Ｆが通信ネットワーク１４，１４ａを介してデータ収集・処理装置２１に送信する。
【０１７３】
次に、ステップＳ９５で、データ収集・処理装置２１は、データ配信サーバ１７Ｆから送信された異常判定結果ファイル５５を受信して、データ収集・処理装置２１が備える演算処理部３４が受信した異常判定結果ファイル５５の内容を第１の表示手段３７に表示する。そして、ステップＳ９６で、プラント事業者１２は、異常有無判定の結果を吟味する。
【０１７４】
ステップＳ９６で、プラント事業者１２は、異常有無判定の結果を吟味して、より詳細な監視・診断を依頼する必要が有ると判断して、詳細診断依頼をする場合（ステップＳ９６でＹＥＳの場合）は、ステップＳ９７に進み、ステップＳ９７でデータ配信を指示する配信指示信号を通信ネットワーク１４ａ，１４を介してデータ配信サーバ１７Ｆに送信する。
【０１７５】
次に、ステップＳ９８で、データ配信サーバ１７Ｆは、データ配信を指示する配信指示信号をデータ収集・処理装置２１から通信ネットワーク１４ａ，１４を介して受信する。そして、ステップＳ９９で、プラント状態量ＤＢ４６を通信ネットワーク１４，１４ｂを介して監視・診断装置２３に送信する。
【０１７６】
次に、ステップＳ１００で、監視・診断事業者１３は、通信ネットワーク１４，１４ｂを介して、監視・診断装置２３でデータ配信サーバ１７Ｆから送信されたプラント状態量ＤＢ４６を受信する。そして、監視・診断装置２３が備えるＣＰＵ４１が監視・診断処理操作を実行する。ステップＳ１００の監視・診断処理操作の実行により、監視・診断処理結果としての監視・診断結果ファイル４７がデータ配信サーバ１７Ｆに送信される。
【０１７７】
次に、ステップＳ１０１で、データ配信サーバ１７Ｆが備えるプロセッサ２８が、監視・診断結果配信処理操作を実行して、監視・診断処理結果としての監視・診断結果ファイル４７をプラント事業者１２が備えるデータ収集・処理装置２１に送信する。
【０１７８】
次に、ステップＳ１０２で、データ収集・処理装置２１が監視・診断結果ファイル４７を受信してデータ収集・処理装置２１が備える演算処理部３４が監視・診断結果表示処理操作を実行する。演算処理部３４が監視・診断結果表示処理操作を実行することで、データ収集・処理装置２１が備える第１の表示手段３７に監視・診断処理結果が表示される。ステップＳ１０２の処理操作が完了すると、図１４に示される処理操作は完了する。
【０１７９】
一方、ステップＳ９３でプラント機器１９に異常が無いと判定した場合（ステップＳ９３でＮＯの場合）は、ステップＳ１０３に進み、ステップＳ１０３で、異常有無判定結果通知ステップとして、異常有無判定の結果、すなわち、プラント機器１９に異常が無い旨の判定結果内容を記した異常判定結果ファイル５５をデータ配信サーバ１７Ｆが通信ネットワーク１４，１４ａを介してデータ収集・処理装置２１に送信する。
【０１８０】
また、ステップＳ９６で、プラント事業者１２は、異常有無判定の結果を吟味して、より詳細な監視・診断を依頼する必要が無いと判断して、詳細診断依頼をする場合（ステップＳ９６でＮＯの場合）は、ステップＳ１０４に進み、ステップＳ１０４で処理操作を終了する。
【０１８１】
さらに、新たにプラントデータの配信を要求する場合は、図１２に示されるステップＳ９２〜ステップＳ１０４の処理操作を実行する。さらに、ステップＳ９１の処理操作、すなわち、プラントデータ蓄積処理操作は、ステップＳ９２以降の処理操作に拘わらず、継続される。
【０１８２】
本実施形態を示すプラントデータ配信システム１０Ｆおよびプラントデータ配信方法によれば、プラント機器１９に異常が有ると判定される場合に、プラント機器１９に異常が有る旨を送信元（プラント事業者）１２に通知して、プラント事業者１２がより詳細な監視・診断を希望する場合に配信要求先（監視・診断事業者）１３へプラントデータを配信して、監視・診断事業者１３のより監視・診断を受けることができる。
【０１８３】
また、異常判定ＰＧ５４によるプラント機器１９の異常有無の判定により、異常発生の可能性有りと判断される場合に、監視・診断事業者の監視、診断サービスを受けるので、プラント事業者１２にとって、プラントの機器１９の信頼性を確保しつつ、監視、診断サービスに要する費用を、適切な水準まで低減することができる。
【０１８４】
尚、図１４に示されるプラントデータ配信システム１０Ｆで実行されるプラントデータの配信ステップのステップＳ９１ステップＳ１０１において、データ配信サーバ１７Ｆは、プラント状態量データファイル４５および監視・診断結果ファイル４７を第１の記録手段２７に保存して、データベースを作成して格納しているが、必ずしもデータベースを作成して格納する必要はない。プラント状態量データファイル４５および監視・診断結果ファイル４７で保存して格納しても良い。この場合、送信されるプラントデータは、プラント状態量ＤＢ４６ではなく、少なくとも１つ以上のプラント状態量データファイル４５となる。
【０１８５】
また、図１４に示されるプラントデータ配信ステップでは、データ収集・処理装置２１へ異常有無判定の結果を送信して、データ収集・処理装置２１からのデータ配信の指示を受けた時点で監視・診断に必要なプラントデータの配信を行うようにしていたが、監視・診断装置２３へのプラントデータの送信は、データ収集・処理装置２１への判定結果の送信と並行して行うようにしても良い。また、監視・診断装置２３へのプラントデータ送信時にデータ収集・処理装置２１へ異常有無判定の結果を通知する必要がない時はデータ収集・処理装置２１への異常有無判定の結果の通知を省略しても良い。
【０１８６】
さらに、図１４に示されるプラントデータ配信ステップでは、ステップＳ９２で、データ配信サーバ１７Ｆが蓄積されたプラントデータに基づいて異常判定ＰＧ５４を実行してプラント機器１９の異常有無の判定を行っているが、プラント事業者１２が簡単な異常有無判定を望む場合、プラント機器監視・診断用の問診表の記入を行い、データ収集・処理装置２１からデータ配信サーバ１７Ｆへ送信し、データ配信サーバ１７Ｆがプラント機器監視・診断用の問診表を受信して後に異常有無判定を行うようにしても良い。この場合、プラント機器監視・診断用の問診表は、予めプラント事業者１２に配布しておく、もしくは、プラント事業者１２が通信ネットワーク１４，１４ａ，１４ｂで接続可能なＵＲＬ上に設置しておく等の方法で、プラント事業者１２がプラント機器監視・診断用の問診表を記入できるようにして、記入したプラント機器監視・診断用の問診表をデータ配信サーバ１７Ｆへ送信可能に構成する。
【０１８７】
さらにまた、図１４に示されるプラントデータ配信ステップでは、ステップＳ９６において、プラント事業者１２が異常有無判定の結果を吟味して、より詳細な監視・診断を依頼する必要が無いと判断した場合（ステップＳ９６でＮＯの場合）は、ステップＳ１０４で処理操作を終了するように構成されているが、一定回数以上、異常有りの異常有無判定結果が通知された場合は、プラントデータ配信システム１０Ｆが自動的に監視・診断事業者１３へプラントデータとしてのプラント状態量ＤＢ４６を配信するように構成しても良い。さらにまた、監視・診断事業者１３へのプラントデータ配信は、プラント状態量ＤＢ４６から監視・診断に必要最小限のプラント状態量データファイル４５を選択して配信するようにしても構わない。
【０１８８】
一方、図１４に示されるプラントデータ配信システム１０Ｆが実行するプラントデータ配信ステップでは、簡単なプラント機器１９の異常有無を判定する処理操作（ステップＳ９３）後に、プラントデータ配信システム１０Ｆが異常判定結果ファイル５５をステップＳ９４およびステップＳ１０４で送信するように構成されているが、送信前に異常判定結果ファイル５５を保存するステップを設けても良い。さらに、異常判定結果ファイル５５を保存する際に異常判定結果ＤＢ（データベース）５６を作成するようにしても良い。
【０１８９】
本発明に係るプラントデータ配信システムおよびプラントデータ配信方法によれば、プラント事業者１２と、プラントデータを配信するデータ配信事業者１１と、プラントデータの監視・診断を行う監視・診断事業者１３との間でネットワークを介在させて構成されるプラントデータ配信システム１０を、プラント事業者および監視・診断事業者のニーズ・運用に合致した形態で提供することができる。すなわち、プラント機器１９の信頼性を確保しつつ、プラント事業者１２および監視・診断事業者１３の監視・診断の必要性に応じたシステム運用が可能であり、また監視・診断の精度および頻度も安価に向上させることができるプラントデータ配信システム１０を構成することができる。
【０１９０】
尚、本発明に係るプラントデータ配信システム１０〜１０Ｆにおいて、データ配信事業者１１は、監視・診断事業者１３と異なる場合を説明したが、監視・診断事業者１３と同一の場合もあり得る。データ配信事業者１１と監視・診断事業者１３とが同一の場合、監視・診断装置２３とデータ配信サーバ１７〜１７Ｆとを同じ機器で共有しても良い。監視・診断装置２３とデータ配信サーバ１７〜１７Ｆとが同じ機器で共有した場合においても、基本的にデータ配信事業者１１が監視・診断事業者１３と異なる場合と同一の作用効果が得られる。
【０１９１】
また、第１の実施形態〜第７の実施形態において、データ配信事業者１１、プラント事業者１２および監視・診断事業者１３と、プラント機器１９およびデータ収集・処理装置２１とがそれぞれ単独の場合を説明したが、複数の場合であっても、本発明に係るプラントデータ配信システム１０〜１０Ｆおよびプラントデータ配信方法を適用することが可能である。その場合、例えば、複数のデータ送信元や、データ配信要求先を個々に認識、識別する必要があるが、これらは通信ネットワーク技術により容易に実現できることが知られている。従って、複数の事業者等を対象とする場合においても、単独の場合と同様に、本発明のプラントデータ配信システム１０〜１０Ｆおよびプラントデータ配信方法を適用することができる。
【０１９２】
一方、本発明に係るプラントデータ配信システム１０〜１０Ｆおよびプラントデータ配信方法において、プラント状態量データファイル４５は、演算処理部３４が処理ＰＧ３０を実行することで作成されているが、プラント状態量データファイル４５を第１の操作手段３６から手動入力しても良い。
【０１９３】
また、プラント状態量ＤＢ４６はデータ配信サーバ１７〜１７Ｆで作成されるとしたが、プラント状態量を収集するデータ収集・処理装置２１で作成されても構わない。同様に、監視・診断結果ＤＢ４８についても監視・診断装置２３で作成されても構わない。
【０１９４】
さらに、本発明に係るプラントデータ配信システムの第１の実施形態〜第７の実施形態では、プラント事業者１２が備え、運用しているプラント機器１９を発電プラントで使用されるプラント機器としたが、化学プラント、コンバインドサイクルプラント、コジェネレーションプラント等の各種プラントにおいても同様にして本発明に係るプラントデータ配信システムおよびプラントシステム配信方法の適用が可能である。
【０１９５】
さらにまた、本発明に係るプラントデータ配信システムは、第１の実施形態〜第７の実施形態で説明した図１〜図１４に示されるプラントデータ配信システム１０〜１０Ｆに限定されるものではない。プラントデータ配信システム１０〜１０Ｆを適宜組み合わせて構成することが可能な全ての形態を包含する。
【０１９６】
以上、説明したように、本実施形態では、プラント事業者側１２で、予め設定した時刻にプラントデータを配信させたり、監視・診断事業者１３に対して事業者認証したり、配信するプラントデータの種別を選択したり、監視・診断事業者１３からの要求に対して許諾する場合にプラントデータを配信させたり、指定された配信要求先にプラントデータを配信させたり、異常判定を受診して異常判定結果から詳細な異常判定を受診するか否かを判断できるので、監視・診断事業者１３の過剰な監視・診断が行われる懸念もなくなり、プラント事業者１２が主導でプラントの信頼性を確保しつつプラント維持費用を最小限に抑えることが可能なプラントデータ配信システムおよびプラントデータ配信方法を提供することが可能となる。
【０１９７】
【発明の効果】
本発明に係るプラントデータ配信システムおよびプラントデータ配信方法によれば、プラント事業者の保有するプラントデータをプラント事業者側の管理下でプラントの監視・診断が可能となり、過剰な頻度の監視・診断による無用なプラント維持費用の増大や過小な頻度の監視・診断によるプラントの信頼性低下を防止できる。従って、プラント事業者が主導でプラントの信頼性を確保しつつプラント維持費用を最小限に抑えることが可能なプラントデータ配信システムおよびプラントデータ配信方法を提供することが可能となる。
【図面の簡単な説明】
【図１】本発明に係るプラントデータ配信システムおよびプラントデータ配信方法の第１の実施形態を示すプラントデータ配信システムのシステム構成図。
【図２】本発明に係るプラントデータ配信システムおよびプラントデータ配信方法の第１の実施形態を示すプラントデータ配信システムにおいて、プラントデータ配信方法を配信サーバ、プラントデータ収集装置および監視・診断装置との間の通信手順を追って説明した説明図。
【図３】本発明に係るプラントデータ配信システムおよびプラントデータ配信方法の第２の実施形態を示すプラントデータ配信システムのシステム構成図。
【図４】本発明に係るプラントデータ配信システムおよびプラントデータ配信方法の第２の実施形態を示すプラントデータ配信システムにおいて、プラントデータ配信方法を配信サーバ、プラントデータ収集装置および監視・診断装置との間の通信手順を追って説明した説明図。
【図５】本発明に係るプラントデータ配信システムおよびプラントデータ配信方法の第３の実施形態を示すプラントデータ配信システムのシステム構成図。
【図６】本発明に係るプラントデータ配信システムおよびプラントデータ配信方法の第３の実施形態を示すプラントデータ配信システムにおいて、プラントデータ配信方法を配信サーバ、プラントデータ収集装置および監視・診断装置との間の通信手順を追って説明した説明図。
【図７】本発明に係るプラントデータ配信システムおよびプラントデータ配信方法の第４の実施形態を示すプラントデータ配信システムのシステム構成図。
【図８】本発明に係るプラントデータ配信システムおよびプラントデータ配信方法の第４の実施形態を示すプラントデータ配信システムにおいて、プラントデータ配信方法を配信サーバ、プラントデータ収集装置および監視・診断装置との間の通信手順を追って説明した説明図。
【図９】本発明に係るプラントデータ配信システムおよびプラントデータ配信方法の第５の実施形態を示すプラントデータ配信システムのシステム構成図。
【図１０】本発明に係るプラントデータ配信システムおよびプラントデータ配信方法の第５の実施形態を示すプラントデータ配信システムにおいて、プラントデータ配信方法を配信サーバ、プラントデータ収集装置および監視・診断装置との間の通信手順を追って説明した説明図。
【図１１】本発明に係るプラントデータ配信システムおよびプラントデータ配信方法の第６の実施形態を示すプラントデータ配信システムのシステム構成図。
【図１２】本発明に係るプラントデータ配信システムおよびプラントデータ配信方法の第６の実施形態を示すプラントデータ配信システムにおいて、プラントデータ配信方法を配信サーバ、プラントデータ収集装置および監視・診断装置との間の通信手順を追って説明した説明図。
【図１３】本発明に係るプラントデータ配信システムおよびプラントデータ配信方法の第７の実施形態を示すプラントデータ配信システムのシステム構成図。
【図１４】本発明に係るプラントデータ配信システムおよびプラントデータ配信方法の第７の実施形態を示すプラントデータ配信システムにおいて、プラントデータ配信方法を配信サーバ、プラントデータ収集装置および監視・診断装置との間の通信手順を追って説明した説明図。
【図１５】従来のプラント監視・診断手法を示す説明図。
【符号の説明】
１０　プラントデータ配信システム
１１　データ配信事業者
１２　プラント事業者
１３　監視・診断事業者
１４，１４ａ，１４ｂ　通信ネットワーク
１７　データ配信サーバ（データ配信手段）
１９　プラント機器
２０　センサ
２１　データ収集・処理装置（データ収集・処理手段）
２３　監視・診断装置（監視・診断手段）
２６　配信制御ＰＧ
２７　第１の記録手段
２８　プロセッサ
３０　処理ＰＧ
３２　第２の記録手段
３４　演算処理部
３６　第１の操作手段
３７　第１の表示手段
３９　第３の記録手段
４０　監視・診断ＰＧ
４１　ＣＰＵ（中央演算処理装置）
４２　第２の操作手段
４３　第２の表示手段
４５　プラント状態量データファイル
４６　プラント状態量ＤＢ
４７　監視・診断結果ファイル
４８　監視・診断結果ＤＢ
５０　事業者認証ファイル（監視・診断事業者用）
５１　配信データ設定ファイル
５２　送信元認証ファイル（プラント事業者用）
５４　異常判定ＰＧ
５５　異常判定結果ファイル
５６　異常判定結果ＤＢ
【図１】
2004030020.tif 000003
【図２】
2004030020.tif 000004
【図３】
2004030020.tif 000005
【図４】
2004030020.tif 000006
【図５】
2004030020.tif 000007
【図６】
2004030020.tif 000008
【図７】
2004030020.tif 000009
【図８】
2004030020.tif 000010
【図９】
2004030020.tif 000011
【図１０】
2004030020.tif 000012
【図１１】
2004030020.tif 000013
【図１２】
2004030020.tif 000014
【図１３】
2004030020.tif 000015
【図１４】
2004030020.tif 000016
【図１５】
2004030020.tif 000017